(57)【要約】  自セルと隣接セルとにおけるＲＳ送信帯域が異なる場合でも、ＺＣ系列からなる参照信号を用いたチャネル推定精度の劣化を回避する無線送信装置及び無線送信方法を開示する。移動局は、各送信帯域の基準点から異なる周波数帯域幅と巡回シフト系列のスペクトラムのスタート番号とを系列長に応じた特定の関係を満たすように対応付けたＲＳテーブルからＲＢ割当情報に該当する巡回シフト系列を決定し、決定した巡回シフト系列をＲＳとして基地局に送信する。基地局は、移動局のＲＳテーブルと同一のＲＳテーブルを用いて、移動局から送信されたＲＳの相関演算を行うことにより、チャネル推定を行う。
2008093716.tif 000002
【特許請求の範囲】
【請求項１】
自装置から送信する参照信号の送信帯域と送信帯域幅とに基づいて、ＣＡＺＡＣ系列の配列を決定する決定手段と、
決定された配列のＣＡＺＡＣ系列を参照信号として送信する送信手段と、
を具備する無線送信装置。
【請求項２】
前記決定手段は、自装置から送信する参照信号の送信帯域と、前記送信帯域において基準となる周波数に位置するＣＡＺＡＣ系列のスペクトラムとが予め対応付けられ、この対応関係に基づいて、ＣＺＡＺＣ系列の配列を決定する請求項１に記載の無線送信装置。
【請求項３】
決定された配列のＣＡＺＡＣ系列を巡回シフトする巡回シフト手段を具備する請求項１に記載の無線送信装置。
【請求項４】
前記巡回シフト手段は、時間領域において設定されたシフト量に加え、参照信号の送信帯域に応じたシフト量を用いて巡回シフトする請求項３に記載の無線送信装置。
【請求項５】
自装置から送信する参照信号の送信帯域と送信帯域幅とに基づいて、ＣＡＺＡＣ系列の配列を決定する決定工程と、
決定された配列のＣＡＺＡＣ系列を参照信号として送信する送信工程と、
を具備する無線送信方法。
【発明の詳細な説明】
【技術分野】
【０００１】
本発明は、Zadoff-Chu系列（以下、ＺＣ系列）などのＣＡＺＡＣ（Constant Amplitude and Zero Auto-correlation Code）系列を参照信号（以下、ＲＳ：Reference Signal）に用いる無線送信装置及び無線送信方法に関する。
【背景技術】
【０００２】
３ＧＰＰ ＬＴＥ（3rd Generation Partnership Project Long Term Evolution）において、上り回線で用いられるＲＳとしてＺＣ系列が検討されている。このＺＣ系列はＣＡＺＡＣ系列の１種であり、以下の式（１）で表される。
【数１】
2008093716.tif 000003
ここで、ＮはＺＣ系列の系列長、ｒはＺＣ系列番号（Sequence index）であり、Ｎとｒは互いに素である。なお、ＺＣ系列がＲＳとして検討される理由として、周波数応答特性が均一であること、また、自己相関特性及び系列間（異なる系列番号の系列間）の相互相関特性が良好であることが挙げられる。【０００３】
また、ＺＣ系列は系列長Ｎが素数であれば、相互相関値が良好なＮ−１個の系列を生成できる。このとき、系列間（例えば、異なるＺＣ系列番号ｒ＝１とｒ＝５）の相互相関は√Ｎで一定になる。なお、系列長Ｎが素数以外であれば系列間の相互相関の最大値は√Ｎ以上になる。【０００４】
さらに、ＺＣ系列では、巡回シフト系列（以下、巡回シフト系列番号をｍとする）も利用することができる。ここで、巡回シフト系列（Cyclic shift sequence）とは、同一系列番号ｒにおいて巡回シフト量（以下、単に「シフト量」という）が異なるＺＣ系列であり、時間軸上でシフト量分だけ巡回シフトさせることで生成可能である。例えば、系列長Ｎ＝１２、シフト量Δ＝６におけるＺＣ系列（ｍ＝０）とその巡回シフト系列（ｍ＝１）を図１に示す。図では、ＺＣ系列（ｍ＝０）がａ（０）〜ａ（１１）の順で構成されるのに対して、その巡回シフト系列（ｍ＝１）はｍ＝０のＺＣ系列がΔ（＝６）シンボル分巡回シフトされ、ａ（６）〜ａ（１１）、ａ（０）〜ａ（５）の順で構成される。【０００５】
次に、受信機におけるＲＳの処理について説明する。上記ｍ＝０とｍ＝１の２つの系列が同一タイミング、同一周波数で多重されたとき、受信機の相関器における相関結果は、ｍ＝０の系列とｍ＝１の系列がそれぞれシフト量Δだけずれたタイミングで高い相関値（以下、「相関値ピーク」という）が発生する（図２参照）。なお、シフト量Δは、遅延波の最大遅延時間より大きく設定するため、各巡回シフト系列の相関値ピークはシフト量Δの範囲内のみに生じる。そのため、所望の巡回シフト系列の相関値が存在する区間（ウィンドウ部分）の相関値のみを抽出することにより、図３に示すように、各巡回シフト系列の相関結果を分離して検出することが可能となる。したがって、巡回シフト系列は、各シフト量の相関値がそれぞれのウィンドウ内に存在する条件下において直交系列として利用できる。【０００６】
なお、各巡回シフト系列の相関演算は、周波数領域で処理されることが一般的であり、図２に示した相関器は、ＤＦＴ（Discrete Fourier Transform）処理、ＺＣ系列（ｍ＝０）での除算、ＩＦＦＴ（Inverse Fast Fourier Transform）処理を行う。【０００７】
図４は、一般的な受信機の構成を示すブロック図である。この図において、ＤＦＴ部１１は、受信したＲＳにＤＦＴ処理を施し、ＤＦＴ処理を施したＲＳをサブキャリアデマッピング部１２に出力する。【０００８】
サブキャリアデマッピング部１２は、ＤＦＴ部１１から出力されたＲＳのうち、送信帯域に対応した部分を抽出し、抽出したＲＳを除算部１３に出力する。【０００９】
除算部１３は、サブキャリアデマッピング部１２から出力されたＲＳをＺＣ系列（ｍ＝０）で除算し、除算結果である相関値をＩＤＦＴ部１４に出力する。【００１０】
ＩＤＦＴ部１４は、除算部１３から出力された相関値にＩＤＦＴ（Inverse Discrete Fourier Transform）処理を施し、ＩＤＦＴ処理を施した相関値をマスク処理部１５に出力する。【００１１】
マスク処理部１５は、ＩＤＦＴ部１４から出力された相関値のうち、所望の巡回シフト系列の相関値が存在する区間（ウィンドウ部分）の相関値のみが抽出され、抽出された相関値をチャネル推定値としてＤＦＴ部１６に出力する。【００１２】
ＤＦＴ部１６は、マスク処理部１５から出力された相関値にＤＦＴ処理を施し、ＤＦＴ処理を施した信号を出力する。【００１３】
なお、Ｆ（Ｘ）は、ＺＣ系列（または、その巡回シフト系列）をＤＦＴ処理することにより生じるＸ番目のシンボルを表す。あるいは、直接ＺＣ系列を周波数領域で生成することにより生じるＸ番目のシンボルを表す。【００１４】
一方、上り回線で用いられるＲＳの中で、データの復調に用いられるチャンネル推定用参照信号（以下、ＤＭ−ＲＳ：Demodulation Reference Signal）は、データ送信帯域幅と同じ帯域で送信されることが検討されている。つまり、データ送信帯域幅が狭帯域である場合には、ＤＭ−ＲＳも狭帯域で送信されることになる。例えば、データ送信帯域幅が１ＲＢ（Resource block）であればＤＭ−ＲＳも１ＲＢとなり、データ送信帯域幅が２ＲＢであればＤＭ−ＲＳも２ＲＢとなる。ここで、ＲＢは、周波数軸上における無線周波数割当単位であり、例えば、１つあるいは複数の周波数キャリア（以下、サブキャリア: subcarrier）から構成される。【００１５】
なお、１ＲＢが１２サブキャリアで構成されるとすると、１ＲＢを利用するＤＭ−ＲＳでは系列長Ｎが１２シンボル（Ｎが素数でない場合）又は１１シンボル、１３シンボル（Ｎが素数である場合）のＺＣ系列を、２ＲＢを利用するＤＭ−ＲＳでは系列長Ｎが２４シンボル（Ｎが素数でない場合）又は２３シンボル、２９シンボル（Ｎが素数である場合）のＺＣ系列を使用する。ここで、系列長Ｎが１１シンボル及び２３シンボルのＺＣ系列を用いる場合はそれぞれ巡回拡張（cyclic extension）を行って１２シンボル分及び２４シンボル分のＤＭ−ＲＳを生成する。また、系列長Ｎが１３シンボル及び２９シンボルのＺＣ系列を用いる場合はそれぞれトランケーション（Truncation）を行って１２シンボル分及び２４シンボル分のＤＭ−ＲＳを生成する。【００１６】
また、ＤＭ−ＲＳはＲＳ間のセル間干渉を低減するために、セル間では異なるＺＣ系列を割り当てることが検討されている。このとき、狭帯域伝送での利用可能な直交系列、あるいは相互相関の低い準直交（quasi-orthogonal）系列数の不足が課題として挙げられている。ＤＭ−ＲＳの送信時間が同じであるとすると、狭帯域伝送時ではＤＭ−ＲＳの系列長（シンボル数）が減少する。そのため、系列数（Ｎ−１）も減少し、同一ＺＣ系列を利用するセル間距離が小さくなる。その結果、ＤＭ−ＲＳのセル間干渉の影響が大きくなり、チャネル推定精度を著しく劣化させることになる。【００１７】
非特許文献１及び２において、狭帯域伝送における同一ＺＣ系列を利用するセル間距離を長くする目的で、基地局間の時間同期あるいは送信フレームタイミング同期が確立しているセル間（例えば、同一基地局に属するセル）では、同一系列番号ｒの異なる巡回シフト系列ｍを割り当てることが提案されている（図５参照）。例えば、同一基地局に属するセル（図５に斜線で示した３つのセル）では、同一系列番号ｒのＺＣ系列を利用する。セル＃１では巡回シフト系列ｍ＝１，４を、セル＃２では巡回シフト系列ｍ＝２，５を、セル＃３では巡回シフト系列ｍ＝３，６を利用する。その結果、系列番号ｒが同じＺＣ系列を利用するセル間の距離を長くすることができる。また、同一基地局間のＤＭ−ＲＳ間は準直交（異なる系列番号ｒのＺＣ系列間）ではなく直交（巡回シフト系列のＺＣ系列間）となるため、ＤＭ−ＲＳの近隣セルからの干渉を低減し、チャネル推定精度を向上させることができる。
【非特許文献１】Motorola、R1-062610、“Uplink Reference Signal Multiplexing Structures for E-UTRA”、 3GPP TSG RAN WG1Meeting #46bis、Soul, Korea, Oct.9-13、2006
【非特許文献２】Panasonic、R1-063183、“Narrow band uplink reference signal sequences and allocation for E-UTRA”、3GPP TSG RAN WG1Meeting #47、Riga,Latvia、November.6-10、2006
【発明の開示】
【発明が解決しようとする課題】
【００１８】
ところで、ＤＭ−ＲＳはデータ送信帯域と同一帯域で送信され、ユーザ間のデータ及びＲＳは周波数多重（Localized FDM）される。また、データ送信帯域は各セルのスケジューラによって決定される。そのため、各セルでＤＭ−ＲＳの送信帯域が異なる（図６参照）。なお、図６では、セル＃１ではＲＢ１とＲＢ２（図６（ａ））を、セル＃２ではＲＢ２とＲＢ３（図６（ｂ））を利用してＤＭ−ＲＳ（帯域幅３６０ｋＨｚ）を送信している。この場合、セル＃１及びセル＃２の基地局ではそれぞれ送信帯域が異なるＤＭ−ＲＳを合成して受信することになる（図６（ｃ））。ここで、セル＃１において合成されたＤＭ−ＲＳの遅延プロファイル（相関値）をセル＃１のＲＳ送信帯域で計算すると、セル＃２のＤＭ−ＲＳの相関値ピークがあらかじめ時間領域で設定されたシフト量とは異なる位置に生じる（図７参照）。【００１９】
これは、セル＃２の移動局から到来したＤＭ−ＲＳに対する除算処理（除算部１３）がＺＣ系列（ｍ＝０）による除算処理とは異なるためである。例えば、図７に示すように、セル＃２のＤＭ−ＲＳがセル＃１で受信された場合、このＤＭ−ＲＳの先頭のスペクトラム値はＺＣ系列（ｍ＝０）の７番目のスペクトラム値で除算される。その結果、セル＃２のＤＭ−ＲＳの相関値ピークがあらかじめ時間領域で設定されたシフト量とは異なる位置に生じる。このとき、セル＃２のＤＭ−ＲＳの遅延プロファイル（相関値）がセル＃１のウィンドウ内に生じた場合、セル＃１とセル＃２の遅延プロファイルを分離することができず、セル＃２のＤＭ−ＲＳがセル＃１にとって干渉成分となるため、セル＃１のＤＭ−ＲＳを用いたチャネル推定精度を劣化させる。なお、以下において、セル＃１とセル＃２及び巡回シフト系列ｍ＝１とｍ＝２を用いて説明するが、これに限定されるものではない。【００２０】
図８に、受信帯域幅が２４サブキャリア（３６０ｋＨｚ）であり、周波数領域で１２サブキャリア分（１８０ｋＨｚ）異なる帯域で相関を計算する場合の相関結果を示す。ここでは、系列長Ｎ＝２４、系列番号ｒ＝１３であるＺＣ系列を利用し、シフト量Δ＝１２と設定した。また、図８では、セル＃１において、巡回シフト系列の送信帯域と相関値を計算する帯域とが異なる場合の相関結果を点線で示し、これらが一致している場合の相関結果を実線で示した。図８より、実線ではシフト量１２の相関値ピークが正確に後半部分に生じるのに対して、点線では相関値ピークが後半部分ではなく、前半部分に生じることが分かる。【００２１】
このように、従来、自セルのみを考慮して巡回シフト系列を割り当て、生成している。より具体的には、ＺＣ系列及び巡回シフトＺＣ系列は、送信帯域幅（ＲＢ数）のみに基づいて割り当てられている。したがって、相関演算で利用する自セルのＺＣ系列の要素と、隣接セルのＺＣ系列の要素とが、異なる帯域に割り当られる場合にはこれらのＺＣ系列を異なる帯域に割り当てられる場合と同じ関係に保つことができないという課題がある。なお、この課題はＤＭ−ＲＳに限定されるものではないため、以降ではＤＭ−ＲＳに限定せずにＣＱＩ推定用参照信号であるＳＲＳ（Sounding Reference Signal）、下り回線のＲＳ、同期用パイロット信号なども含めてＲＳとする。【００２２】
本発明の目的は、自セルと隣接セルとにおけるＲＳ送信帯域が異なる場合でも、ＣＡＺＡＣ系列からなる参照信号を用いたチャネル推定精度の劣化を回避する無線送信装置及び無線送信方法を提供することである。
【課題を解決するための手段】
【００２３】
本発明の無線送信装置は、自装置から送信する参照信号の送信帯域と送信帯域幅とに基づいて、ＣＡＺＡＣ系列の配列を決定する決定手段と、決定された配列のＣＡＺＡＣ系列を参照信号として送信する送信手段と、を具備する構成を採る。
【発明の効果】
【００２４】
本発明によれば、自セルと隣接セルとにおけるＲＳ送信帯域が異なる場合でも、ＣＡＺＡＣ系列からなる参照信号を用いたチャネル推定精度の劣化を回避することができる。
【図面の簡単な説明】
【００２５】
【図１】ＺＣ系列を巡回シフトする様子を示す図
【図２】受信ＺＣ系列の相関結果を示す図
【図３】巡回シフト系列を検出及び分離する様子を示す図
【図４】一般的な受信機の構成を示すブロック図
【図５】ＺＣ系列をセルに割り当てた様子を示す図
【図６】隣接セルにおいて異なるＲＳ送信帯域が用いられる様子を示す図
【図７】隣接セルにおいて異なるＲＳ送信帯域が用いられた場合の相関値ピーク位置を示す図
【図８】送信帯域と相関値を計算する帯域とが一致及び不一致となる場合の相関結果を示す図
【図９】本発明の実施の形態１に係る移動局の構成を示すブロック図
【図１０】本発明の実施の形態１に係る基地局の構成を示すブロック図
【図１１】図９に示した配列生成部の動作説明に供する図
【図１２】相関値ピーク位置を示す図
【図１３】送信帯域と相関値を計算する帯域とが一致及び不一致となる場合の相関結果を示す図
【図１４】本発明の実施の形態１に係るＲＳ生成部のその他の内部構成を示すブロック図
【図１５】巡回拡張によるＺＣ系列を用いるときの配列生成部の動作説明に供する図
【図１６】トランケートによるＺＣ系列を用いるときの配列生成部の動作説明に供する図
【図１７】本発明の実施の形態３に係る移動局の構成を示すブロック図
【図１８】図１７に示した第２巡回シフト部の動作説明に供する図
【図１９】図１７に示した第２巡回シフト部の具体的な動作説明に供する図
【図２０】巡回シフト系列番号の割当テーブルを示す図
【図２１】図２０に示した割当テーブルを用いる場合のＲＳ生成部の内部構成を示すブロック図
【図２２】ＲＳ送信帯域幅が３ＲＢの場合の巡回シフト系列生成の様子を示す図
【図２３Ａ】基準点を定義する様子を示す図
【図２３Ｂ】基準点を定義する様子を示す図
【図２４】送信するＺＣ系列の係数とサブキャリアとの関係を示す図
【発明を実施するための最良の形態】
【００２６】
以下、本発明の実施の形態について、図面を参照して詳細に説明する。ただし、実施の形態において、同一機能を有する構成には同一符号を付し、重複する説明は省略する。また、以下では、高い相関値の発生する領域（１つまたは複数の高い相関値）を「相関値ピーク」と定義して説明する。【００２７】
（実施の形態１）
本発明の実施の形態１に係る移動局１００の構成について、図９を用いて説明する。受信ＲＦ１０２部は、アンテナ１０１を介して受信した信号にダウンコンバート、Ａ／Ｄ変換等の受信処理を施し、受信処理を施した信号を復調部１０３に出力する。復調部１０３は、受信処理が施された信号に等化処理、復調処理を施し、これらの処理を施した信号を復号部１０４に出力する。復号部１０４は、復調処理が施された信号に復号処理を施し、データ信号及び制御情報を抽出する。また、抽出された制御情報のうち、ＲＢ（Resource Block）割当情報がＲＳ生成部１０８の配列生成部１０９に出力される。【００２８】
符号化部１０５は、送信データを符号化し、符号化データを変調部１０６に出力する。変調部１０６は、符号化データを変調し、変調信号をＲＢ割当部１０７に出力する。ＲＢ割当部１０７は、変調信号をＲＢに割り当て、ＲＢに割り当てた変調信号を多重化部１１３に出力する。【００２９】
ＲＳ生成部１０８は、配列生成部１０９、マッピング部１１０、ＩＦＦＴ部１１１、巡回シフト部１１２を備えており、ＲＳテーブルと復号部１０４から出力されたＲＢ割当情報とに基づいて、ＺＣ系列からＲＳ（Reference Signal）を生成し、生成したＲＳを多重化部１１３に出力する。以下、ＲＳ生成部１１３内の各部の構成について説明する。【００３０】
配列生成部１０９は、ＲＳテーブルを備え、復号部１０４から出力されたＲＢ割当情報に対応する帯域のＺＣ系列をＲＳテーブルから抽出し、抽出したＺＣ系列をマッピング部１１０に出力する。ここで、ＲＳテーブルとは、システム帯域内で便宜的に定めた周波数を基準点としたとき、この基準点から周波数の高い方（又は、低い方）に順番にＺＣ系列のスペクトラム番号を割り振り、系列長以内の番号で繰り返しスペクトラムを配列したものである。なお、ＲＳテーブルの具体例は後述する。【００３１】
マッピング部１１０は、配列生成部１０９から出力されたＺＣ系列を移動局１００の送信帯域に対応した帯域にマッピングし、マッピングしたＺＣ系列をＩＦＦＴ部１１１に出力する。ＩＦＦＴ部１１１は、マッピング部１１０から出力されたＺＣ系列にＩＦＦＴ（Inverse Fast Fourier Transform）処理を施し、ＩＦＦＴ処理を施したＺＣ系列を巡回シフト部１１２に出力する。【００３２】
巡回シフト部１１２は、ＩＦＦＴ部１１１から出力されたＺＣ系列を所定のシフト量分巡回シフトし、巡回シフトしたＺＣ系列をＲＳとして多重化部１１３に出力する。ここで、巡回シフト部１１２で行う巡回シフトのシフト量はセル毎あるいは移動局毎に個別に割り当てられた値であり、移動局は基地局から通知される情報に基づいてシフト量を決定する。この時通知される情報の通知形態としては、シフト量そのものが通知されてもよいし、その他のどのような通知形態でもよい。同一基地局に属する複数のセルに巡回シフト系列が割り当てられる場合には、各セルに割り当てられるシフト量は、各々のセルに属する移動局が同一送信帯域で前記シフト量に基づいて巡回シフト系列を送信した場合に、基地局で相関結果を分離できる程度の値に設定される。なお、巡回シフトはＩＦＦＴ部の前で行ってもよい。この場合は周波数領域で処理するため、巡回シフトはサブキャリア毎の位相回転により実現される。【００３３】
多重化部１１３は、ＲＢ割当部１０７から出力された送信データ（変調信号）と巡回シフト部１１２から出力されたＺＣ系列（参照信号）とを時間多重し、多重信号を送信ＲＦ部１１４に出力する。なお、多重化部１１３における多重化方法は、時間多重に限らず、周波数多重、符号多重、複素空間上のＩＱ多重であってもよい。【００３４】
送信ＲＦ部１１４は、多重化部１１３から出力された多重信号にＤ／Ａ変換、アップコンバート、増幅等の送信処理を施し、送信処理を施した信号をアンテナ１０１から無線送信する。【００３５】
本発明の実施の形態１に係る基地局１５０の構成について、図１０を用いて説明する。符号化部１５１は、送信データ及び制御信号を符号化し、符号化データを変調部１５２に出力する。変調部１５２は、符号化データを変調し、変調信号を送信ＲＦ部１５３に出力する。送信ＲＦ部１５３は、変調信号にＤ／Ａ変換、アップコンバート、増幅等の送信処理を施し、送信処理を施した信号をアンテナ１５４から無線送信する。【００３６】
受信ＲＦ部１５５は、アンテナ１５４を介して受信した信号にダウンコンバート、Ａ／Ｄ変換等の受信処理を施し、受信処理を施した信号を分離部１５６に出力する。【００３７】
分離部１５６は、受信ＲＦ部１５５から出力された信号をＲＳと、データ信号及び制御信号とに分離し、分離したＲＳをＤＦＴ部１５７に、データ信号及び制御信号をＤＦＴ部１６４にそれぞれ出力する。【００３８】
ＤＦＴ部１５７は、分離部１５６から出力されたＲＳにＤＦＴ処理を施し、時間領域から周波数領域の信号に変換し、周波数領域に変換したＲＳを伝搬路推定部１５８のデマッピング部１５９に出力する。【００３９】
伝搬路推定部１５８は、デマッピング部１５９、除算部１６０、ＩＦＦＴ部１６１、マスク処理部１６２、ＤＦＴ部１６３を備え、ＤＦＴ部１５７から出力されたＲＳに基づいて、伝搬路を推定する。【００４０】
デマッピング部１５９は、ＤＦＴ部１５７から出力された信号から各移動局の送信帯域に対応した部分が抽出され、抽出された各信号を除算部１６０に出力する。【００４１】
除算部１６０は、図９に示した移動局１００の配列生成部１０９が備えるＲＳテーブルと同一のＲＳテーブルを備え、デマッピング部１５９から出力された信号をＲＳテーブルに対応するＺＣ系列で除算し、除算結果をＩＦＦＴ部１６１に出力する。ＩＦＦＴ部１６１は、除算部１６０から出力された信号にＩＦＦＴ処理を施し、ＩＦＦＴ処理を施した信号をマスク処理部１６２に出力する。【００４２】
マスク処理部１６２は、ＩＦＦＴ部１６１から出力された信号にマスク処理を施すことにより、所望の巡回シフト系列の相関値が存在する区間（ウィンドウ部分）の相関値を抽出し、抽出した相関値をＤＦＴ部１６３に出力する。【００４３】
ＤＦＴ部１６３は、マスク処理部１６２から出力された相関値にＤＦＴ処理を施し、ＤＦＴ処理を施した相関値を周波数領域等化部１６６に出力する。なお、ＤＦＴ部１６３から出力された信号は、伝搬路の周波数応答を表すものである。【００４４】
ＤＦＴ部１６４は、分離部１５６から出力されたデータ信号及び制御信号にＤＦＴ処理を施し、時間領域から周波数領域の信号に変換し、周波数領域に変換したデータ信号及び制御信号をデマッピング部１６５に出力する。【００４５】
デマッピング部１６５は、ＤＦＴ部１６４から出力された信号から各移動局の送信帯域に対応した部分のデータ信号及び制御信号が抽出され、抽出された各信号を周波数領域等化部１６６に出力する。【００４６】
周波数領域等化部１６６は、伝搬路推定部１５８内のＤＦＴ部１６３から出力された信号（伝搬路の周波数応答）を用いて、デマッピング部１６５から出力されたデータ信号及び制御信号に等化処理を施し、等化処理を施した信号をＩＦＦＴ部１６７に出力する。【００４７】
ＩＦＦＴ部１６７は、周波数領域等化部１６６から出力されたデータ信号及び制御信号にＩＦＦＴ処理を施し、ＩＦＦＴ処理を施した信号を復調部１６８に出力する。復調部１６８は、ＩＦＦＴ処理が施された信号に復調処理を施し、復調処理を施した信号を復号部１６９に出力する。復号部１６９は、復調処理が施された信号に復号処理を施し、受信データを抽出する。【００４８】
なお、除算部１６０では、ＲＳテーブルに対応するＺＣ系列で除算し、マスク処理部１６２でマスク処理を施すことにより、所望の巡回シフト系列の相関値が存在する区間（ウィンドウ部分）の相関値を抽出するとしたが、これと等価な受信処理であれば別の方法でもよい。例えば、除算部１６０でＲＳテーブルに対応しない一般的なＺＣ系列で除算し、マスク処理部１６２でＲＳテーブルに対応したマスク処理を施すことにより、所望の巡回シフト系列の相関値が存在する区間（ウィンドウ部分）の相関値を抽出してもよい。【００４９】
次に、上述した配列生成部１０９の動作について図１１を用いて説明する。ここでは、セル＃２において、系列長Ｎ＝２４、系列番号ｒ＝１の巡回シフト系列ｍ＝２であるＺＣ系列を利用し、シフト量Δ＝１２とする。また、配列生成部１０９が備えるＲＳテーブルは、図１１に示すように、基準点からＦ（１）〜Ｆ（２４）のスペクトラム番号を割り振り、繰り返し配列したものとなっている。ここで、Ｆ（ｘ）は、ＺＣ系列を周波数変換することにより得られるｘ番目のＺＣ系列の周波数スペクトルを表す。あるいは、ＺＣ系列を周波数領域で生成した場合のｘ番目のシンボルを表す。【００５０】
配列生成部１０９は、例えば、図１１に示すように、ＲＢ割当情報として基準点から１２サブキャリア分（１８０ｋＨｚ）離れた帯域から送信帯域幅分（例えば、ＲＢ２及びＲＢ３）が指示された場合、このＲＢ割当情報に対応するＺＣ系列をＲＳテーブルから抽出すると、Ｆ（１３）〜Ｆ（２４），Ｆ（１）〜Ｆ（１２）の配列を抽出する。このとき、配列の先頭、すなわち、基準点に最も近いスペクトル番号（以下、「スタート番号」という）は１３となる。ちなみに、基準点から０ｋＨｚ離れた帯域（例えば、ＲＢ１及びＲＢ２）におけるスペクトラムはスタート番号が１である。【００５１】
なお、他セル（例えば、セル＃１）においても、基準点から１８０ｋＨｚ離れた位置におけるスペクトラムのスタート番号は１３であり、基準点から０ｋＨｚ離れた位置におけるスペクトラムのスタート番号は１である。また、参考までに、図１１には、従来方法により生成される配列は送信するサブキャリア位置（ＲＢの位置）にかかわらず、常にスタート番号が１から始まることを示している。【００５２】
このように、相関演算を行う帯域に対して、自セルのＺＣ系列の要素と、隣接セルのＺＣ系列の要素とを、送信される帯域にかかわらず同じ関係を保つようにする（つまり、相対関係を維持する）ことで、図１２に示すように、時間領域で設定したシフト量に応じた位置に相関値ピークを発生させることができる。同じ関係を保つ方法としては、ＲＳ送信帯域とＺＣ系列のスペクトラムのスタート番号とを対応付ける、すなわち、各送信帯域の基準点から異なる周波数帯域幅とＺＣ系列のスペクトラムのスタート番号とを系列長に応じた特定の関係を満たすように対応付けることなどが挙げられる。そして、この方法によって、巡回シフト系列の送信帯域と相関を計算する帯域が異なる場合でも、従来では設定したウィンドウと異なるウィンドウ内に現れていた相関値ピークが、設定したウィンドウ内に現れるようになる。よって、シフト量に対応したウィンドウ以外への干渉を軽減することができ、チャネル推定精度を改善することができる。また、系列番号にかかわらず、同一処理で相関値ピークの位置を一定にできる。【００５３】
ここで、帯域幅２４サブキャリア（３６０ｋＨｚ）で相関を計算する場合において、周波数領域で１２サブキャリア（１８０ｋＨｚ）異なる帯域で送信される巡回シフト系列に対する相関結果を図１３に示す。なお、系列長Ｎ＝２４、系列番号ｒ＝１３であるＺＣ系列を利用し、シフト量Δ＝１２と設定した。また、巡回シフト系列の送信帯域と相関値を計算する帯域が異なる場合を点線、これらが一致している場合を実線で示した。この図より、実線でも点線でもシフト量Δ＝１２の相関値ピークが正確に後半部分に生じることがわかる。【００５４】
このように実施の形態１によれば、ＲＳ送信帯域とＺＣ系列のスペクトラムのスタート番号とを対応付けることにより、時間領域で設定したシフト量に応じた位置に相関値ピークを発生させることができ、シフト量に対応したウィンドウ以外への干渉を軽減することができ、チャネル推定精度を改善することができる。【００５５】
なお、本実施の形態では、図１１に示すＲＳテーブルを例に説明したが、本発明はこれに限らず、特定の関係を満たし、送受信側双方で共有しているＲＳテーブルであればよい。また、上記のＲＳテーブルを必ずしも備える必要はなく、これと等価な処理が行えればＲＳテーブルを備えていなくてもよい。【００５６】
また、本実施の形態では、移動局１００におけるＲＳ生成部１０８を図９に示すものとして説明したが、図１４Ａ及び図１４Ｂに示すような構成でもよい。図１４Ａは周波数軸領域でＺＣ系列を生成する場合の構成であり、図１４Ｂは時間軸領域でＺＣ系列を生成する場合の構成である。なお、図１４Ａに示す構成では、位相回転部において時間領域の巡回シフトに対応するように、周波数領域の各サブキャリアに対して位相回転が加えられる。【００５７】
なお、本実施の形態では、１ＲＢを１２サブキャリア（１８０ｋＨｚ）として説明したが、ＲＢあたりのサブキャリア数、サブキャリア間隔、帯域幅はこれに限定しない。【００５８】
また、本実施の形態では、参照信号としてＤＭ−ＲＳを例に説明したが、これに限定されるものではなく、ＣＡＺＡＣ系列を用いるその他の参照信号でもよい。【００５９】
なお、配列生成部１０９で算出する送信帯域に応じたＺＣ系列のスタート番号は、基地局側で算出し、スタート番号を通知する構成であってもよい。【００６０】
（実施の形態２）
実施の形態１では、ＺＣ系列長が１ＲＢのサブキャリア数の倍数である場合について説明したが、本発明の実施の形態２では、ＺＣ系列長が素数である場合について説明する。【００６１】
ただし、実施の形態２に係る移動局及び基地局の構成は、実施の形態１の図９及び図１０に示した構成と同様であるので、図９及び図１０を援用する。【００６２】
一般に、系列長が素数であるＺＣ系列をＲＳ送信帯域のサブキャリア数に合わせるため、巡回拡張（Cyclic extension）によるＲＳ生成及びトランケーション（Truncation）によるＲＳ生成が検討されている。以下、それぞれのＲＳについて説明する。【００６３】
ＺＣ系列の巡回拡張によるＲＳは、一般に、ＲＳ送信帯域におけるサブキャリア数よりも小さく、かつ、最も近い素数を系列長とするＺＣ系列を利用し、このＺＣ系列の一部をサブキャリア数に合わせて繰り返す。例えば、ＲＳ送信帯域が２４サブキャリアである場合、２３系列長のＺＣ系列が選択される。そして、このＺＣ系列をサブキャリア数に合わせるために、選択されたＺＣ系列の最初の１シンボルが末尾に付加される。【００６４】
次に、巡回拡張によるＲＳ構成を用いるときの配列生成部１０９の動作について図１５を用いて説明する。ここでは、セル＃２において、系列長Ｎ＝２３、系列番号ｒ＝１の巡回シフト系列ｍ＝２であるＺＣ系列を利用し、シフト量Δ＝１２とする。また、配列生成部１０９が備えるＲＳテーブルは、図１５に示すように、基準点からＦ（１）〜Ｆ（２３）のスペクトラム番号を割り振り、繰り返し配列したものとなっている。【００６５】
配列生成部１０９は、例えば、図１５に示すように、ＲＢ割当情報として基準点から１２サブキャリア（１８０ｋＨｚ）離れた帯域から送信帯域幅分（例えば、ＲＢ２及びＲＢ３）が指示された場合、このＲＢ割当情報に対応するＺＣ系列をＲＳテーブルから抽出すると、Ｆ（１３）〜Ｆ（２３），Ｆ（１）〜Ｆ（１３）の配列を抽出する。また、基準点から２４サブキャリア（３６０ｋＨｚ）離れた帯域から送信帯域幅分（例えば、ＲＢ３及びＲＢ４）が指示された場合、このＲＢ割当情報に対応するＺＣ系列をＲＳテーブルから抽出すると、Ｆ（２）〜Ｆ（２３），Ｆ（１）及びＦ（２）の配列を抽出する。【００６６】
次に、ＺＣ系列のトランケーションによるＲＳ生成は、一般にＲＳ送信帯域におけるサブキャリア数よりも大きく、かつ、最も近い素数を系列長とするＺＣ系列を利用し、このＺＣ系列の一部をサブキャリア数に合わせてトランケートする（切り詰める）。例えば、ＲＳ送信帯域が２４サブキャリアである場合、２９系列長のＺＣ系列が選択される。そして、このＺＣ系列がサブキャリア数に合わせて５シンボルだけ切り詰められる。【００６７】
次に、トランケーションにより生成されるＲＳを用いるときの配列生成部１０９の動作について図１６を用いて説明する。ここでは、セル＃２において、系列長Ｎ＝２９、系列番号ｒ＝１の巡回シフト系列ｍ＝２であるＺＣ系列を利用し、シフト量Δ＝１２とする。また、配列生成部１０９が備えるＲＳテーブルは、図１６に示すように、基準点からＦ（１）〜Ｆ（２９）のスペクトラム番号を割り振り、繰り返し配列したものとなっている。【００６８】
配列生成部１０９は、例えば、図１６に示すように、ＲＢ割当情報として基準点から１２サブキャリア（１８０ｋＨｚ）離れた帯域から送信帯域幅分（例えば、ＲＢ２及びＲＢ３）が指示された場合、このＲＢ割当情報に対応するＺＣ系列をＲＳテーブルから抽出すると、Ｆ（１３）〜Ｆ（２９），Ｆ（１）〜Ｆ（７）の配列を抽出することになる。また、基準点から２４サブキャリア（３６０ｋＨｚ）離れた帯域から送信帯域幅分（例えば、ＲＢ３及びＲＢ４）が指示された場合、このＲＢ割当情報に対応するＺＣ系列をＲＳテーブルから抽出すると、Ｆ（２５）〜Ｆ（２９），Ｆ（１）〜Ｆ（１９）の配列を抽出することになる。【００６９】
なお、ＺＣ系列の巡回拡張及びトランケーションは、周波数領域ではなく、時間領域で行ってもよい。この場合、生成されるＺＣ系列のスペクトラム数はサブキャリア数と同じであるため、実施の形態１と同じ方法で、サブキャリアに対して、スペクトラム成分を一意に割り当てる。【００７０】
このように実施の形態２によれば、ＺＣ系列長が素数であり、ＺＣ系列長とサブキャリア数が異なる場合でも、実施の形態１と同様、時間領域で設定したシフト量に応じた位置に相関値ピークを発生させることができ、シフト量に対応したウィンドウ以外への干渉を軽減することができ、チャネル推定精度を改善することができる。【００７１】
なお、巡回拡張、トランケーションを用いずに、素数のままＲＳを構成する場合は、配列生成部１０９は巡回拡張を行う場合と同一の構成をとる。ＲＳのサブキャリア数が２４の場合、系列長Ｎ＝２３のＺＣ系列の巡回拡張と同様にＲＳの配列生成を行い、そのうち１シンボルをＮｕｌｌ（信号なし、あるいはゼロ）に置き換え、マッピング部１１０に出力する。ここで、Ｎｕｌｌにするシンボルは、送信ＲＢに該当するサブキャリアのうちいずれのサブキャリアでもよいが、周波数の最も低いあるいは最も高いサブキャリアにすることがＺＣ系列の直交性を維持できるため好ましい。【００７２】
（実施の形態３）
本発明の実施の形態３に係る移動局２００の構成について、図１７を用いて説明する。図１７が図９と異なる点は、ＲＳ生成部１０８をＲＳ生成部２０１に変更した点である。【００７３】
ＲＳ生成部２０１は、第１巡回シフト部２０２、第２巡回シフト部２０３、ＤＦＴ部２０４、マッピング部２０５、ＩＦＦＴ部２０６を備えており、ＺＣ系列からＲＳを生成し、生成したＲＳを多重化部１１３に出力する。以下、ＲＳ生成部２０１内の各部の構成について説明する。【００７４】
第１巡回シフト部２０２は、ＺＣ系列を所定のシフト量（送信帯域にかかわらず、セル毎あるいは移動局毎に割り当てられるシフト量）分巡回シフトし、巡回シフトしたＺＣ系列を第２巡回シフト部２０３に出力する。【００７５】
第２巡回シフト部２０３は、第１巡回シフト部２０２から出力されたＺＣ系列を送信帯域に応じたシフト量でさらに巡回シフトし、巡回シフトされたＺＣ系列をＤＦＴ部２０４に出力する。このとき、送信帯域に応じたシフト量とは、系列長、系列番号、サブキャリア間隔及び、基準点（基準サブキャリア）と送信を行う周波数帯域との相対値に対応し、これらと特定の関係を満たすように対応付けられる。【００７６】
なお、この送信帯域に応じたシフト量は、基地局より通知あるいは予め定められることで送受信側双方が共有しているものとする。【００７７】
ＤＦＴ部２０４は、第２巡回シフト部２０３から出力されたＺＣ系列にＤＦＴ処理を施し、ＤＦＴ処理を施したＺＣ系列をマッピング部２０５に出力する。マッピング部２０５は、ＤＦＴ部２０４から出力されたＺＣ系列を移動局の送信帯域に対応した帯域にマッピングし、マッピングしたＺＣ系列をＩＦＦＴ部２０６に出力する。ＩＦＦＴ部２０６は、マッピング部２０５から出力されたＺＣ系列にＩＦＦＴ処理を施し、ＩＦＦＴ処理を施したＺＣ系列をＲＳとして多重化部１１３に出力する。【００７８】
本発明の実施の形態３に係る基地局の構成は、実施の形態１の図１０に示した構成と同様であり、除算部１６０の機能が異なるのみなので、除算部１６０について図１０を援用して説明する。【００７９】
除算部１６０は、デマッピング部１５９から出力された信号をＤＦＴ処理されたＺＣ系列で除算し、除算結果をＩＦＦＴ部に出力する。なお、ＤＦＴ処理されたＺＣ系列は、時間領域でＺＣ系列（ｍ＝０）に第２巡回シフト部２０３で送信帯域に応じて加えたシフト量を加え、ＤＦＴ処理を行ったものである。また、ＺＣ系列は基準点から０ｋＨＺ離れた帯域（例えば、ＲＢ１とＲＢ２）でも、基準点から１２サブキャリア（１８０ｋＨｚ）離れた帯域（例えば、ＲＢ２とＲＢ３）でもＺＣ系列のスペクトラムのスタート番号を１とする。【００８０】
なお、除算部１６０では、ＺＣ系列（ｍ＝０）に時間領域で送信帯域に応じたシフト量を加えたＺＣ系列（ｍ＝０）で除算処理するとしたが、これに等価な方法であれば別の方法でもよい。例えば、ＺＣ系列（ｍ＝０）に時間領域でＺＣ系列（ｍ＝０）に所定のシフト量（送信帯域にかかわらず、セル毎あるいは移動局毎に割り当てられるシフト量）および送信帯域に応じたシフト量を加えたＺＣ系列（ｍ＝０）で除算処理し、マスク処理部１６２で所望のウィンドウにマスク処理を施すことにより、所望の巡回シフト系列の相関値が存在する区間（ウィンドウ部分）の相関値を抽出してもよい。【００８１】
次に、上述した第２巡回シフト部２０３の動作について図１８を用いて説明する。ここでは、セル＃２において、系列長Ｎ＝２４、系列番号ｒ＝２の巡回シフト系列ｍ＝２であるＺＣ系列を利用する。【００８２】
第２巡回シフト部２０３は、時間領域で設定した第１巡回シフト部２０２のシフト量に加えて、図１８に示すように、巡回シフト系列の送信帯域に応じて時間領域でシフト量を変更する。なお、このシフト量は任意の帯域で相関値を計算しても第１巡回シフト部２０２で設定した巡回シフト量として検出されるように送信ＲＳ信号に追加的にシフト量を与えるものであり、このシフト量は系列長、系列番号、サブキャリア間隔及び、基準点（基準サブキャリア）と送信を行う周波数帯域との相対値によっても異なる。例えば、サブキャリア間隔が１５ｋＨｚにおける特定の関係を満たすシフト量（補正シフト量）の一例を表に示す。ここでは、系列長２３のＺＣ系列が基準点から１２サブキャリア（１ＲＢ）異なる帯域に割当てられた場合の巡回シフト量のずれ、および巡回シフト量から求めた補正シフト量を示す。
【表１】
2008093716.tif 000004
【００８３】
この巡回シフト量を式で表すと以下になる。１サブキャリア間隔（１５ｋＨｚ）の周波数オフセットを加えると、式（２）のｃshiftで示すシンボル数分、ＺＣ系列を巡回シフトさせることに相当する。
cShift = (N*s-1)/r・・・（２）【００８４】
ここで、Ｎ:系列長、ｒ:系列番号（ｒはＮと互いに素）、ｓはcShiftが整数となるための最小の自然数である。よって、Ｘサブキャリア分の異なる周波数帯域に割り当てられると、ＺＣ系列ａｒ（ｋ）を式（３）のように巡回シフトさせた系列になる。
ａｒ（ｋ＋Ｘ・cShift mod Ｎ）・・・（３）【００８５】
よって、Ｘサブキャリア分の異なる周波数帯域に割り当てる場合、ＺＣ系列に式（４）の巡回シフトを加えることで式（３）の巡回シフト量を打ち消せるため、所望のタイミングに相関値ピーク位置を現すことができる。
−Ｘ・cShiftmod Ｎ・・・（４）【００８６】
例えば、系列番号ｒ＝１、第１巡回シフト量Δ＝１２（スタート番号が１３となる）の系列が入力されたと想定する。このとき、上記式に従って第２巡回シフト部２０３のシフト量を計算すると、基準点から０サブキャリア（０ｋＨｚ）離れた帯域（例えば、ＲＢ１とＲＢ２）では巡回シフト量０、基準点から１２サブキャリア（１８０ｋＨｚ）離れた帯域（例えば、ＲＢ２とＲＢ３）ではシフト量１１となる。つまり、基準点から０ｋＨｚ離れた帯域の送信では巡回シフトを行わず（シフト量０）、スタート番号が１３（Ｔ（１３）と表示）の巡回シフト系列を出力する。一方、基準点から１２サブキャリア（１８０ｋＨｚ）離れた帯域での送信では、巡回シフト量１２を施して巡回シフト系列のスタート番号を３（Ｔ（３））とする。【００８７】
このとき、送信帯域に応じた上記テーブルを双方が記憶していてもよい。また、ＲＢ割当情報を上記式（２）〜（４）に当てはめて移動局、基地局がそれぞれ計算して求めてもよい。【００８８】
なお、従来の方法では、送信する帯域、例えば、基準点から０サブキャリア（０ｋＨｚ）及び１２サブキャリア（１８０ｋＨｚ）離れた帯域のいずれにもかかわらず、第１巡回シフト部２０２での巡回シフト系列番号に応じたスタート番号１３で送信する。【００８９】
ここでは、セル＃２について説明したが、他セル（例えばセル＃１）でも同様に第１巡回シフト部２０２での巡回シフト系列番号に、第２巡回シフト部２０３での送信帯域に応じたシフト量を加えたスタート番号で送信する。【００９０】
具体的には、図１９に示すように、基準点から０ｋＨｚ離れた帯域でＲＳを送信する場合、従来方法と本実施の形態のスタート番号は同一であり、第１巡回シフト部２０２で設定されたシフト量であるＴ（１３）となる。【００９１】
また、基準点から１２サブキャリア（１８０ｋＨｚ）離れた帯域でＲＳを送信する場合、従来方法のスタート番号は、基準点から０ｋＨｚ離れた帯域での送信と同様に、セル＃２はＴ（１３）となる。一方、本実施の形態でのスタート番号は、送信帯域の基準点からの相対位置に応じてシフト量を変更してＴ（３）となる。【００９２】
このように、従来方法のスタート番号であるＴ（１３）に加えて、送信帯域の基準点からの相対位置に応じたシフト量が加えられる。なお、ここでは第２巡回シフト部２０３でのシフト量として１２を加えたが、これは系列長、系列番号、サブキャリア間隔、及び、基準点（基準サブキャリア）と送信を行う周波数帯域との相対値によって異なるものである。【００９３】
なお、上記は巡回シフト系列間の相対関係を保つ方法の一例であり、この方法または上記の表１に限定せず、基準点と送信帯域の位置関係に応じて、第２の巡回シフトを変更することで巡回シフト間の相対関係を維持できる方法であれば別の方法でもよい。【００９４】
このように実施の形態３によれば、第１巡回シフト部の時間領域で設定したシフト量に加えて、第２巡回シフト部の巡回シフト系列の送信帯域に応じてシフト量を変更することにより、第１巡回シフト部で設定したシフト量に対応した位置に相関値を発生させることができる。したがって、第１巡回シフト部で設定したシフト量に対応したウィンドウ以外への干渉を軽減することができ、チャネル推定精度を改善することができる。【００９５】
なお、本実施の形態では、時間領域で設定したシフト量に加えて、巡回シフト系列の系列長、系列番号、サブキャリア間隔、及び、基準点（基準サブキャリア）と送信を行う周波数帯域との相対値に応じて、時間領域でシフト量を変更する場合について説明したが、本発明はこれに限らず、巡回シフト系列の系列長、系列番号、サブキャリア間隔、及び、基準点（基準サブキャリア）と送信を行う周波数帯域との相対値に基づいて、同一基地局に属する各セルに割り当てる巡回シフト系列番号を決定するようにしてもよい。以下、具体的に説明する。【００９６】
従来方法では、ＲＳの系列長、系列番号、サブキャリア間隔、及び、送信帯域（ＲＢ位置）にかかわらず、各セルに割り当てる巡回シフト系列番号（つまり巡回シフト量）を同じにする。例えば、セル＃１では巡回シフト系列番号＃１、セル＃２では巡回シフト系列番号＃２とする（図２０Ａ参照）。【００９７】
一方、本実施の形態では、ＲＳの系列長、系列番号、サブキャリア間隔、及び、送信帯域（ＲＢ位置）によって、各セルに割り当てる巡回シフト系列番号を異ならせる。例えば、セル＃１において、ＲＢ１とＲＢ２で送信する場合は巡回シフト系列番号＃１、ＲＢ２とＲＢ３で送信する場合は巡回シフト系列番号＃２とする。また、セル＃２において、ＲＢ１とＲＢ２で送信する場合は巡回シフト系列番号＃２、ＲＢ２とＲＢ３で送信する場合は巡回シフト系列番号＃１とする（図２０Ｂ参照）。【００９８】
なお、このとき、ＲＳ生成部２０１の構成は、図１７に示した第１巡回シフト部２０２及び第２巡回シフト部２０３を図２１に示すように、巡回シフト部としてまとめて、シフト量の割当テーブルに対応してシフト量を割り当ててもよい。【００９９】
また、本実施の形態では、第２巡回シフト部２０３を第１巡回シフト部２０２とＤＦＴ部２０４の間に設ける構成を例に説明したが、第１巡回シフト部２０２の前段、あるいは、ＩＦＦＴ部２０６の後段に設ける構成であってもよい。【０１００】
また、上記実施の形態では、自セルと隣接セルとにおけるＲＳ送信帯域が異なる場合のうち、送信帯域幅は同一の場合を中心に説明したが、自セルと隣接セルでそれぞれ送信されるＲＳの送信帯域幅が異なることによってＲＳ送信帯域が異なる場合も考えられる。例えば、自セルではＲＢ１とＲＢ２の２ＲＢ分を自セル内のある移動局に割り当てるのに対し、隣接セルではＲＢ１とＲＢ２をそれぞれ隣接セル内の異なる２移動局に割り当てる場合などが考えられる。このような場合にも、隣接セルの移動局から到来したＲＳに対する自セルでの除算処理では異なる系列長のＺＣ系列を除算することになるため、隣接セルの移動局から到来したＲＳの相関値ピークがウィンドウ内に生じることがあり、自セルと隣接セルの遅延プロファイルを分離することができず、結果として干渉となる問題が発生する。【０１０１】
このような場合に対しても、ＲＳ送信帯域とＺＣ系列のスペクトラムのスタート番号とを対応付ける。すなわち、各送信帯域の基準点から異なる周波数帯域幅とＺＣ系列のスペクトラムのスタート番号とを系列長に応じた特定の関係を満たすように対応付けることにより干渉を軽減することができる。換言すれば、ＲＳを送信する際に、ＲＳの送信帯域に応じて、送信帯域及び送信帯域幅によって定まる所定のシフト量分を周波数領域において位相シフトを施す、もしくは時間領域で巡回シフトを施すことにより、干渉を軽減することができる。【０１０２】
また、上記各実施の形態では、巡回シフト系列に限定するものではなく、全ての系列に適用してもよい。例えば、同一基地局に属する複数のセルに異なるＺＣ系列が割り当てられる場合でも、移動局、基地局は、送信帯域に応じて時間領域若しくは周波数領域で巡回シフトを行なった系列を用いて、それぞれ送信及び除算してもよい。このように送受信処理を統一することで、システム全体として同じ規則に従うことになるため、送受信処理が容易になる。【０１０３】
また、上記各実施の形態では、巡回シフト系列番号＃１、＃２のみを利用したが、本発明はこれに限定するものではなく、巡回シフト系列が＃１〜＃６など多数の場合であってもよい。【０１０４】
また、上記各実施の形態では、ＲＳ送信帯域幅が２ＲＢである場合について説明したが、本発明はこれに限るものではなく、２以上のＲＢを使用してもよい。この場合、図２２に示すように、各送信帯域で使用される巡回シフト系列のスタート番号はそれぞれ１，１３，２５，１，１３，…となる。ここでは系列長Ｎ＝３６とした。【０１０５】
また、上記実施の形態１及び２では、図２３Ａに示すように、基準点をシステム送信帯域の一番端のサブキャリアとしてもよいし、図２３Ｂに示すように、システム送信帯域の中心のサブキャリアとしてもよい。ここで、図２３Ａにおいて、送信ＺＣ系列の係数とサブキャリアの関係は図２４に示すようになる。つまり、ｆ０を基準点とし、ｆａをサブキャリア番号とすると、そのサブキャリアｆａのＺＣ系列係数ＣａはＣａ＝Ｃａｍｏｄ（２３）の関係となる（ただし、系列長ｒ＝２３の場合）。なお、Ｃａ＝Ｃａ ｍｏｄ（Ｘ）はＣａをＸで除算した余りである。配列生成部１０９では、この関係を用いて割り当てられた送信ＲＢのサブキャリア毎のＺＣ系列係数を得ることができる。なお、基準点は巡回シフト系列間の相対関係を保つ必要があるセル間で共通とする。【０１０６】
なお、上記の実施の形態は、巡回シフトの相対関係を維持する方法の一例であり、巡回シフトの相対関係を維持する方法であればこれらに限定するものではない。すなわち、複数のセル間で共通の基準点（周波数、サブキャリア）を用いて、干渉波成分の相関結果が予め設定した巡回シフトの相関値が存在する区間（ウィンドウ部分）に含むことができる方法なら何でもよい。【０１０７】
また、上記各実施の形態では、移動局から基地局に対してデータおよび参照信号を送信する例を挙げたが、基地局から移動局への送信の場合でも同様に適用できる。【０１０８】
また、上記各実施の形態では、ＣＡＺＡＣ系列及びその巡回シフト系列を参照信号として利用する場合について説明したが、これに限定されるものではない。例えば、上り回線のチャネル品質推定用参照信号、ランダムアクセス用プリアンブル系列、下り回線の同期チャネル用参照信号など、巡回シフトを用い、セル間で異なる送信帯域で送信される場合に対しても同様に適用可能である。また、ＧＣＬ（Generalized Chirp Like）系列、Frank系列、Ｍ系列及びゴールド系列などのＰＮ系列、CAZAC-basedの系列をCyclic Extension/Truncationした系列、ＺＣ系列をパンクチャリングした系列、Random CAZAC, OLZC, RAZACなどの各種系列、その他のＣＡＺＡＣ系列（計算機により生成した系列を含む）にも適用が可能である。また、参照信号はパイロット信号、リファレンス信号、基準信号などと呼ばれることがある。【０１０９】
さらに、ＣＡＺＡＣ系列を符号分割多重（CDM）あるいは符号分割多元接続（CDMA）の拡散符号として用いる場合にも同様に適用可能であり、ＲＢ送信帯域が異なる場合の相関演算時に系列間の相対的な関係が崩れ、干渉波の相関値ピークが希望波の相関値ピークの検出窓で検出されるこことを回避することができる。【０１１０】
また、上記各実施の形態では、上りリンクを例に説明したが、下りリンクに適用してもよい。また、本実施の形態は3GPP LTEのシステムに限定するものでもない。【０１１１】
また、説明で利用したＲＢあたりのサブキャリア数や帯域幅はあくまでも一例であり、これらの値に限定されない。【０１１２】
また、上記各実施の形態では、本発明をハードウェアで構成する場合を例にとって説明したが、本発明はソフトウェアで実現することも可能である。【０１１３】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。【０１１４】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。【０１１５】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。【０１１６】
２００７年１月３１日出願の特願２００７−０２２０７２の日本出願に含まれる明細書、図面及び要約書の開示内容は、すべて本願に援用される。
【産業上の利用可能性】
【０１１７】
本発明にかかる無線送信装置及び無線送信方法は、例えば、移動通信システムの移動局等に適用できる。
【図１】
2008093716.tif 000005
【図２】
2008093716.tif 000006
【図３】
2008093716.tif 000007
【図４】
2008093716.tif 000008
【図５】
2008093716.tif 000009
【図６】
2008093716.tif 000010
【図７】
2008093716.tif 000011
【図８】
2008093716.tif 000012
【図９】
2008093716.tif 000013
【図１０】
2008093716.tif 000014
【図１１】
2008093716.tif 000015
【図１２】
2008093716.tif 000016
【図１３】
2008093716.tif 000017
【図１４】
2008093716.tif 000018
【図１５】
2008093716.tif 000019
【図１６】
2008093716.tif 000020
【図１７】
2008093716.tif 000021
【図１８】
2008093716.tif 000022
【図１９】
2008093716.tif 000023
【図２０】
2008093716.tif 000024
【図２１】
2008093716.tif 000025
【図２２】
2008093716.tif 000026
【図２３Ａ】
2008093716.tif 000027
【図２３Ｂ】
2008093716.tif 000028
【図２４】
2008093716.tif 000029
【手続補正書】
【提出日】平成21年5月19日(2009.5.19)
【手続補正１】
【補正対象書類名】特許請求の範囲
【補正対象項目名】全文
【補正方法】変更
【補正の内容】
【特許請求の範囲】
【請求項１】
自装置から送信する参照信号の送信帯域と送信帯域幅とに基づいて、ＣＡＺＡＣ系列の配列を決定する決定手段と、
決定された配列のＣＡＺＡＣ系列を参照信号として送信する送信手段と、
を具備する無線送信装置。
【請求項２】
前記決定手段は、自装置から送信する参照信号の送信帯域と、前記送信帯域において基準となる周波数に位置するＣＡＺＡＣ系列のスペクトラムとが予め対応付けられ、この対応関係に基づいて、ＣＺＡＺＣ系列の配列を決定する請求項１に記載の無線送信装置。
【請求項３】
決定された配列のＣＡＺＡＣ系列を巡回シフトする巡回シフト手段を具備する請求項１に記載の無線送信装置。
【請求項４】
前記巡回シフト手段は、時間領域において設定されたシフト量に加え、参照信号の送信帯域に応じたシフト量を用いて巡回シフトする請求項３に記載の無線送信装置。
【請求項５】
自装置から送信する参照信号の送信帯域と送信帯域幅とに基づいて、ＣＡＺＡＣ系列の配列を決定する決定工程と、
決定された配列のＣＡＺＡＣ系列を参照信号として送信する送信工程と、
を具備する無線送信方法。
【手続補正２】
【補正対象書類名】明細書
【補正対象項目名】全文
【補正方法】変更
【補正の内容】
【発明の詳細な説明】
【技術分野】
【０００１】
本発明は、Zadoff-Chu系列（以下、ＺＣ系列）などのＣＡＺＡＣ（Constant Amplitude
and Zero Auto-correlation Code）系列を参照信号（以下、ＲＳ：Reference Signal）に用いる無線送信装置及び無線送信方法に関する。
【背景技術】
【０００２】
３ＧＰＰ ＬＴＥ（3rd Generation Partnership Project Long Term Evolution）において、上り回線で用いられるＲＳとしてＺＣ系列が検討されている。このＺＣ系列はＣＡＺＡＣ系列の１種であり、以下の式（１）で表される。
【数１】
2008093716.tif 000030
ここで、ＮはＺＣ系列の系列長、ｒはＺＣ系列番号（Sequence index）であり、Ｎとｒは互いに素である。なお、ＺＣ系列がＲＳとして検討される理由として、周波数応答特性が均一であること、また、自己相関特性及び系列間（異なる系列番号の系列間）の相互相関特性が良好であることが挙げられる。
【０００３】
また、ＺＣ系列は系列長Ｎが素数であれば、相互相関値が良好なＮ−１個の系列を生成できる。このとき、系列間（例えば、異なるＺＣ系列番号ｒ＝１とｒ＝５）の相互相関は√Ｎで一定になる。なお、系列長Ｎが素数以外であれば系列間の相互相関の最大値は√Ｎ以上になる。
【０００４】
さらに、ＺＣ系列では、巡回シフト系列（以下、巡回シフト系列番号をｍとする）も利用することができる。ここで、巡回シフト系列（Cyclic shift sequence）とは、同一系列番号ｒにおいて巡回シフト量（以下、単に「シフト量」という）が異なるＺＣ系列であり、時間軸上でシフト量分だけ巡回シフトさせることで生成可能である。例えば、系列長Ｎ＝１２、シフト量Δ＝６におけるＺＣ系列（ｍ＝０）とその巡回シフト系列（ｍ＝１）を図１に示す。図では、ＺＣ系列（ｍ＝０）がａ（０）〜ａ（１１）の順で構成されるのに対して、その巡回シフト系列（ｍ＝１）はｍ＝０のＺＣ系列がΔ（＝６）シンボル分巡回シフトされ、ａ（６）〜ａ（１１）、ａ（０）〜ａ（５）の順で構成される。
【０００５】
次に、受信機におけるＲＳの処理について説明する。上記ｍ＝０とｍ＝１の２つの系列が同一タイミング、同一周波数で多重されたとき、受信機の相関器における相関結果は、ｍ＝０の系列とｍ＝１の系列がそれぞれシフト量Δだけずれたタイミングで高い相関値（以下、「相関値ピーク」という）が発生する（図２参照）。なお、シフト量Δは、遅延波の最大遅延時間より大きく設定するため、各巡回シフト系列の相関値ピークはシフト量Δの範囲内のみに生じる。そのため、所望の巡回シフト系列の相関値が存在する区間（ウィンドウ部分）の相関値のみを抽出することにより、図３に示すように、各巡回シフト系列の相関結果を分離して検出することが可能となる。したがって、巡回シフト系列は、各シフト量の相関値がそれぞれのウィンドウ内に存在する条件下において直交系列として利用できる。
【０００６】
なお、各巡回シフト系列の相関演算は、周波数領域で処理されることが一般的であり、
図２に示した相関器は、ＤＦＴ（Discrete Fourier Transform）処理、ＺＣ系列（ｍ＝０）での除算、ＩＦＦＴ（Inverse Fast Fourier Transform）処理を行う。
【０００７】
図４は、一般的な受信機の構成を示すブロック図である。この図において、ＤＦＴ部１１は、受信したＲＳにＤＦＴ処理を施し、ＤＦＴ処理を施したＲＳをサブキャリアデマッピング部１２に出力する。
【０００８】
サブキャリアデマッピング部１２は、ＤＦＴ部１１から出力されたＲＳのうち、送信帯域に対応した部分を抽出し、抽出したＲＳを除算部１３に出力する。
【０００９】
除算部１３は、サブキャリアデマッピング部１２から出力されたＲＳをＺＣ系列（ｍ＝０）で除算し、除算結果である相関値をＩＤＦＴ部１４に出力する。
【００１０】
ＩＤＦＴ部１４は、除算部１３から出力された相関値にＩＤＦＴ（Inverse Discrete Fourier Transform）処理を施し、ＩＤＦＴ処理を施した相関値をマスク処理部１５に出力する。
【００１１】
マスク処理部１５は、ＩＤＦＴ部１４から出力された相関値のうち、所望の巡回シフト系列の相関値が存在する区間（ウィンドウ部分）の相関値のみが抽出され、抽出された相関値をチャネル推定値としてＤＦＴ部１６に出力する。
【００１２】
ＤＦＴ部１６は、マスク処理部１５から出力された相関値にＤＦＴ処理を施し、ＤＦＴ処理を施した信号を出力する。
【００１３】
なお、Ｆ（Ｘ）は、ＺＣ系列（または、その巡回シフト系列）をＤＦＴ処理することにより生じるＸ番目のシンボルを表す。あるいは、直接ＺＣ系列を周波数領域で生成することにより生じるＸ番目のシンボルを表す。
【００１４】
一方、上り回線で用いられるＲＳの中で、データの復調に用いられるチャンネル推定用参照信号（以下、ＤＭ−ＲＳ：Demodulation Reference Signal）は、データ送信帯域幅と同じ帯域で送信されることが検討されている。つまり、データ送信帯域幅が狭帯域である場合には、ＤＭ−ＲＳも狭帯域で送信されることになる。例えば、データ送信帯域幅が１ＲＢ（Resource block）であればＤＭ−ＲＳも１ＲＢとなり、データ送信帯域幅が２ＲＢであればＤＭ−ＲＳも２ＲＢとなる。ここで、ＲＢは、周波数軸上における無線周波数割当単位であり、例えば、１つあるいは複数の周波数キャリア（以下、サブキャリア: subcarrier）から構成される。
【００１５】
なお、１ＲＢが１２サブキャリアで構成されるとすると、１ＲＢを利用するＤＭ−ＲＳでは系列長Ｎが１２シンボル（Ｎが素数でない場合）又は１１シンボル、１３シンボル（Ｎが素数である場合）のＺＣ系列を、２ＲＢを利用するＤＭ−ＲＳでは系列長Ｎが２４シンボル（Ｎが素数でない場合）又は２３シンボル、２９シンボル（Ｎが素数である場合）のＺＣ系列を使用する。ここで、系列長Ｎが１１シンボル及び２３シンボルのＺＣ系列を用いる場合はそれぞれ巡回拡張（cyclic extension）を行って１２シンボル分及び２４シンボル分のＤＭ−ＲＳを生成する。また、系列長Ｎが１３シンボル及び２９シンボルのＺＣ系列を用いる場合はそれぞれトランケーション（Truncation）を行って１２シンボル分及び２４シンボル分のＤＭ−ＲＳを生成する。
【００１６】
また、ＤＭ−ＲＳはＲＳ間のセル間干渉を低減するために、セル間では異なるＺＣ系列を割り当てることが検討されている。このとき、狭帯域伝送での利用可能な直交系列、あるいは相互相関の低い準直交（quasi-orthogonal）系列数の不足が課題として挙げられて
いる。ＤＭ−ＲＳの送信時間が同じであるとすると、狭帯域伝送時ではＤＭ−ＲＳの系列長（シンボル数）が減少する。そのため、系列数（Ｎ−１）も減少し、同一ＺＣ系列を利用するセル間距離が小さくなる。その結果、ＤＭ−ＲＳのセル間干渉の影響が大きくなり、チャネル推定精度を著しく劣化させることになる。
【００１７】
非特許文献１及び２において、狭帯域伝送における同一ＺＣ系列を利用するセル間距離を長くする目的で、基地局間の時間同期あるいは送信フレームタイミング同期が確立しているセル間（例えば、同一基地局に属するセル）では、同一系列番号ｒの異なる巡回シフト系列ｍを割り当てることが提案されている（図５参照）。例えば、同一基地局に属するセル（図５に斜線で示した３つのセル）では、同一系列番号ｒのＺＣ系列を利用する。セル＃１では巡回シフト系列ｍ＝１，４を、セル＃２では巡回シフト系列ｍ＝２，５を、セル＃３では巡回シフト系列ｍ＝３，６を利用する。その結果、系列番号ｒが同じＺＣ系列を利用するセル間の距離を長くすることができる。また、同一基地局間のＤＭ−ＲＳ間は準直交（異なる系列番号ｒのＺＣ系列間）ではなく直交（巡回シフト系列のＺＣ系列間）となるため、ＤＭ−ＲＳの近隣セルからの干渉を低減し、チャネル推定精度を向上させることができる。
【非特許文献１】Motorola、R1-062610、“Uplink Reference Signal Multiplexing Structures for E-UTRA”、 3GPP TSG RAN WG1Meeting #46bis、Soul, Korea, Oct.9-13、2006
【非特許文献２】Panasonic、R1-063183、“Narrow band uplink reference signal sequences and allocation for E-UTRA”、3GPP TSG RAN WG1Meeting #47、Riga,Latvia、November.6-10、2006
【発明の開示】
【発明が解決しようとする課題】
【００１８】
ところで、ＤＭ−ＲＳはデータ送信帯域と同一帯域で送信され、ユーザ間のデータ及びＲＳは周波数多重（Localized FDM）される。また、データ送信帯域は各セルのスケジューラによって決定される。そのため、各セルでＤＭ−ＲＳの送信帯域が異なる（図６参照）。なお、図６では、セル＃１ではＲＢ１とＲＢ２（図６（ａ））を、セル＃２ではＲＢ２とＲＢ３（図６（ｂ））を利用してＤＭ−ＲＳ（帯域幅３６０ｋＨｚ）を送信している。この場合、セル＃１及びセル＃２の基地局ではそれぞれ送信帯域が異なるＤＭ−ＲＳを合成して受信することになる（図６（ｃ））。ここで、セル＃１において合成されたＤＭ−ＲＳの遅延プロファイル（相関値）をセル＃１のＲＳ送信帯域で計算すると、セル＃２のＤＭ−ＲＳの相関値ピークがあらかじめ時間領域で設定されたシフト量とは異なる位置に生じる（図７参照）。
【００１９】
これは、セル＃２の移動局から到来したＤＭ−ＲＳに対する除算処理（除算部１３）がＺＣ系列（ｍ＝０）による除算処理とは異なるためである。例えば、図７に示すように、セル＃２のＤＭ−ＲＳがセル＃１で受信された場合、このＤＭ−ＲＳの先頭のスペクトラム値はＺＣ系列（ｍ＝０）の７番目のスペクトラム値で除算される。その結果、セル＃２のＤＭ−ＲＳの相関値ピークがあらかじめ時間領域で設定されたシフト量とは異なる位置に生じる。このとき、セル＃２のＤＭ−ＲＳの遅延プロファイル（相関値）がセル＃１のウィンドウ内に生じた場合、セル＃１とセル＃２の遅延プロファイルを分離することができず、セル＃２のＤＭ−ＲＳがセル＃１にとって干渉成分となるため、セル＃１のＤＭ−ＲＳを用いたチャネル推定精度を劣化させる。なお、以下において、セル＃１とセル＃２及び巡回シフト系列ｍ＝１とｍ＝２を用いて説明するが、これに限定されるものではない。
【００２０】
図８に、受信帯域幅が２４サブキャリア（３６０ｋＨｚ）であり、周波数領域で１２サブキャリア分（１８０ｋＨｚ）異なる帯域で相関を計算する場合の相関結果を示す。ここ
では、系列長Ｎ＝２４、系列番号ｒ＝１３であるＺＣ系列を利用し、シフト量Δ＝１２と設定した。また、図８では、セル＃１において、巡回シフト系列の送信帯域と相関値を計算する帯域とが異なる場合の相関結果を点線で示し、これらが一致している場合の相関結果を実線で示した。図８より、実線ではシフト量１２の相関値ピークが正確に後半部分に生じるのに対して、点線では相関値ピークが後半部分ではなく、前半部分に生じることが分かる。
【００２１】
このように、従来、自セルのみを考慮して巡回シフト系列を割り当て、生成している。より具体的には、ＺＣ系列及び巡回シフトＺＣ系列は、送信帯域幅（ＲＢ数）のみに基づいて割り当てられている。したがって、相関演算で利用する自セルのＺＣ系列の要素と、隣接セルのＺＣ系列の要素とが、異なる帯域に割り当られる場合にはこれらのＺＣ系列を異なる帯域に割り当てられる場合と同じ関係に保つことができないという課題がある。なお、この課題はＤＭ−ＲＳに限定されるものではないため、以降ではＤＭ−ＲＳに限定せずにＣＱＩ推定用参照信号であるＳＲＳ（Sounding Reference Signal）、下り回線のＲＳ、同期用パイロット信号なども含めてＲＳとする。
【００２２】
本発明の目的は、自セルと隣接セルとにおけるＲＳ送信帯域が異なる場合でも、ＣＡＺＡＣ系列からなる参照信号を用いたチャネル推定精度の劣化を回避する無線送信装置及び無線送信方法を提供することである。
【課題を解決するための手段】
【００２３】
本発明の無線送信装置は、自装置から送信する参照信号の送信帯域と送信帯域幅とに基づいて、ＣＡＺＡＣ系列の配列を決定する決定手段と、決定された配列のＣＡＺＡＣ系列を参照信号として送信する送信手段と、を具備する構成を採る。
【発明の効果】
【００２４】
本発明によれば、自セルと隣接セルとにおけるＲＳ送信帯域が異なる場合でも、ＣＡＺＡＣ系列からなる参照信号を用いたチャネル推定精度の劣化を回避することができる。
【発明を実施するための最良の形態】
【００２５】
以下、本発明の実施の形態について、図面を参照して詳細に説明する。ただし、実施の形態において、同一機能を有する構成には同一符号を付し、重複する説明は省略する。また、以下では、高い相関値の発生する領域（１つまたは複数の高い相関値）を「相関値ピーク」と定義して説明する。
【００２６】
（実施の形態１）
本発明の実施の形態１に係る移動局１００の構成について、図９を用いて説明する。受信ＲＦ１０２部は、アンテナ１０１を介して受信した信号にダウンコンバート、Ａ／Ｄ変換等の受信処理を施し、受信処理を施した信号を復調部１０３に出力する。復調部１０３は、受信処理が施された信号に等化処理、復調処理を施し、これらの処理を施した信号を復号部１０４に出力する。復号部１０４は、復調処理が施された信号に復号処理を施し、データ信号及び制御情報を抽出する。また、抽出された制御情報のうち、ＲＢ（Resource
Block）割当情報がＲＳ生成部１０８の配列生成部１０９に出力される。
【００２７】
符号化部１０５は、送信データを符号化し、符号化データを変調部１０６に出力する。変調部１０６は、符号化データを変調し、変調信号をＲＢ割当部１０７に出力する。ＲＢ割当部１０７は、変調信号をＲＢに割り当て、ＲＢに割り当てた変調信号を多重化部１１３に出力する。
【００２８】
ＲＳ生成部１０８は、配列生成部１０９、マッピング部１１０、ＩＦＦＴ部１１１、巡回シフト部１１２を備えており、ＲＳテーブルと復号部１０４から出力されたＲＢ割当情報とに基づいて、ＺＣ系列からＲＳ（Reference Signal）を生成し、生成したＲＳを多重化部１１３に出力する。以下、ＲＳ生成部１１３内の各部の構成について説明する。
【００２９】
配列生成部１０９は、ＲＳテーブルを備え、復号部１０４から出力されたＲＢ割当情報に対応する帯域のＺＣ系列をＲＳテーブルから抽出し、抽出したＺＣ系列をマッピング部１１０に出力する。ここで、ＲＳテーブルとは、システム帯域内で便宜的に定めた周波数を基準点としたとき、この基準点から周波数の高い方（又は、低い方）に順番にＺＣ系列のスペクトラム番号を割り振り、系列長以内の番号で繰り返しスペクトラムを配列したものである。なお、ＲＳテーブルの具体例は後述する。
【００３０】
マッピング部１１０は、配列生成部１０９から出力されたＺＣ系列を移動局１００の送信帯域に対応した帯域にマッピングし、マッピングしたＺＣ系列をＩＦＦＴ部１１１に出力する。ＩＦＦＴ部１１１は、マッピング部１１０から出力されたＺＣ系列にＩＦＦＴ（Inverse Fast Fourier Transform）処理を施し、ＩＦＦＴ処理を施したＺＣ系列を巡回シフト部１１２に出力する。
【００３１】
巡回シフト部１１２は、ＩＦＦＴ部１１１から出力されたＺＣ系列を所定のシフト量分巡回シフトし、巡回シフトしたＺＣ系列をＲＳとして多重化部１１３に出力する。ここで
、巡回シフト部１１２で行う巡回シフトのシフト量はセル毎あるいは移動局毎に個別に割り当てられた値であり、移動局は基地局から通知される情報に基づいてシフト量を決定する。この時通知される情報の通知形態としては、シフト量そのものが通知されてもよいし、その他のどのような通知形態でもよい。同一基地局に属する複数のセルに巡回シフト系列が割り当てられる場合には、各セルに割り当てられるシフト量は、各々のセルに属する移動局が同一送信帯域で前記シフト量に基づいて巡回シフト系列を送信した場合に、基地局で相関結果を分離できる程度の値に設定される。なお、巡回シフトはＩＦＦＴ部の前で行ってもよい。この場合は周波数領域で処理するため、巡回シフトはサブキャリア毎の位相回転により実現される。
【００３２】
多重化部１１３は、ＲＢ割当部１０７から出力された送信データ（変調信号）と巡回シフト部１１２から出力されたＺＣ系列（参照信号）とを時間多重し、多重信号を送信ＲＦ部１１４に出力する。なお、多重化部１１３における多重化方法は、時間多重に限らず、周波数多重、符号多重、複素空間上のＩＱ多重であってもよい。
【００３３】
送信ＲＦ部１１４は、多重化部１１３から出力された多重信号にＤ／Ａ変換、アップコンバート、増幅等の送信処理を施し、送信処理を施した信号をアンテナ１０１から無線送信する。
【００３４】
本発明の実施の形態１に係る基地局１５０の構成について、図１０を用いて説明する。符号化部１５１は、送信データ及び制御信号を符号化し、符号化データを変調部１５２に出力する。変調部１５２は、符号化データを変調し、変調信号を送信ＲＦ部１５３に出力する。送信ＲＦ部１５３は、変調信号にＤ／Ａ変換、アップコンバート、増幅等の送信処理を施し、送信処理を施した信号をアンテナ１５４から無線送信する。
【００３５】
受信ＲＦ部１５５は、アンテナ１５４を介して受信した信号にダウンコンバート、Ａ／Ｄ変換等の受信処理を施し、受信処理を施した信号を分離部１５６に出力する。
【００３６】
分離部１５６は、受信ＲＦ部１５５から出力された信号をＲＳと、データ信号及び制御信号とに分離し、分離したＲＳをＤＦＴ部１５７に、データ信号及び制御信号をＤＦＴ部１６４にそれぞれ出力する。
【００３７】
ＤＦＴ部１５７は、分離部１５６から出力されたＲＳにＤＦＴ処理を施し、時間領域から周波数領域の信号に変換し、周波数領域に変換したＲＳを伝搬路推定部１５８のデマッピング部１５９に出力する。
【００３８】
伝搬路推定部１５８は、デマッピング部１５９、除算部１６０、ＩＦＦＴ部１６１、マスク処理部１６２、ＤＦＴ部１６３を備え、ＤＦＴ部１５７から出力されたＲＳに基づいて、伝搬路を推定する。
【００３９】
デマッピング部１５９は、ＤＦＴ部１５７から出力された信号から各移動局の送信帯域に対応した部分が抽出され、抽出された各信号を除算部１６０に出力する。
【００４０】
除算部１６０は、図９に示した移動局１００の配列生成部１０９が備えるＲＳテーブルと同一のＲＳテーブルを備え、デマッピング部１５９から出力された信号をＲＳテーブルに対応するＺＣ系列で除算し、除算結果をＩＦＦＴ部１６１に出力する。ＩＦＦＴ部１６１は、除算部１６０から出力された信号にＩＦＦＴ処理を施し、ＩＦＦＴ処理を施した信号をマスク処理部１６２に出力する。
【００４１】
マスク処理部１６２は、ＩＦＦＴ部１６１から出力された信号にマスク処理を施すこと
により、所望の巡回シフト系列の相関値が存在する区間（ウィンドウ部分）の相関値を抽出し、抽出した相関値をＤＦＴ部１６３に出力する。
【００４２】
ＤＦＴ部１６３は、マスク処理部１６２から出力された相関値にＤＦＴ処理を施し、ＤＦＴ処理を施した相関値を周波数領域等化部１６６に出力する。なお、ＤＦＴ部１６３から出力された信号は、伝搬路の周波数応答を表すものである。
【００４３】
ＤＦＴ部１６４は、分離部１５６から出力されたデータ信号及び制御信号にＤＦＴ処理を施し、時間領域から周波数領域の信号に変換し、周波数領域に変換したデータ信号及び制御信号をデマッピング部１６５に出力する。
【００４４】
デマッピング部１６５は、ＤＦＴ部１６４から出力された信号から各移動局の送信帯域に対応した部分のデータ信号及び制御信号が抽出され、抽出された各信号を周波数領域等化部１６６に出力する。
【００４５】
周波数領域等化部１６６は、伝搬路推定部１５８内のＤＦＴ部１６３から出力された信号（伝搬路の周波数応答）を用いて、デマッピング部１６５から出力されたデータ信号及び制御信号に等化処理を施し、等化処理を施した信号をＩＦＦＴ部１６７に出力する。
【００４６】
ＩＦＦＴ部１６７は、周波数領域等化部１６６から出力されたデータ信号及び制御信号にＩＦＦＴ処理を施し、ＩＦＦＴ処理を施した信号を復調部１６８に出力する。復調部１６８は、ＩＦＦＴ処理が施された信号に復調処理を施し、復調処理を施した信号を復号部１６９に出力する。復号部１６９は、復調処理が施された信号に復号処理を施し、受信データを抽出する。
【００４７】
なお、除算部１６０では、ＲＳテーブルに対応するＺＣ系列で除算し、マスク処理部１６２でマスク処理を施すことにより、所望の巡回シフト系列の相関値が存在する区間（ウィンドウ部分）の相関値を抽出するとしたが、これと等価な受信処理であれば別の方法でもよい。例えば、除算部１６０でＲＳテーブルに対応しない一般的なＺＣ系列で除算し、マスク処理部１６２でＲＳテーブルに対応したマスク処理を施すことにより、所望の巡回シフト系列の相関値が存在する区間（ウィンドウ部分）の相関値を抽出してもよい。
【００４８】
次に、上述した配列生成部１０９の動作について図１１を用いて説明する。ここでは、セル＃２において、系列長Ｎ＝２４、系列番号ｒ＝１の巡回シフト系列ｍ＝２であるＺＣ系列を利用し、シフト量Δ＝１２とする。また、配列生成部１０９が備えるＲＳテーブルは、図１１に示すように、基準点からＦ（１）〜Ｆ（２４）のスペクトラム番号を割り振り、繰り返し配列したものとなっている。ここで、Ｆ（ｘ）は、ＺＣ系列を周波数変換することにより得られるｘ番目のＺＣ系列の周波数スペクトルを表す。あるいは、ＺＣ系列を周波数領域で生成した場合のｘ番目のシンボルを表す。
【００４９】
配列生成部１０９は、例えば、図１１に示すように、ＲＢ割当情報として基準点から１２サブキャリア分（１８０ｋＨｚ）離れた帯域から送信帯域幅分（例えば、ＲＢ２及びＲＢ３）が指示された場合、このＲＢ割当情報に対応するＺＣ系列をＲＳテーブルから抽出すると、Ｆ（１３）〜Ｆ（２４），Ｆ（１）〜Ｆ（１２）の配列を抽出する。このとき、配列の先頭、すなわち、基準点に最も近いスペクトル番号（以下、「スタート番号」という）は１３となる。ちなみに、基準点から０ｋＨｚ離れた帯域（例えば、ＲＢ１及びＲＢ２）におけるスペクトラムはスタート番号が１である。
【００５０】
なお、他セル（例えば、セル＃１）においても、基準点から１８０ｋＨｚ離れた位置におけるスペクトラムのスタート番号は１３であり、基準点から０ｋＨｚ離れた位置におけ
るスペクトラムのスタート番号は１である。また、参考までに、図１１には、従来方法により生成される配列は送信するサブキャリア位置（ＲＢの位置）にかかわらず、常にスタート番号が１から始まることを示している。
【００５１】
このように、相関演算を行う帯域に対して、自セルのＺＣ系列の要素と、隣接セルのＺＣ系列の要素とを、送信される帯域にかかわらず同じ関係を保つようにする（つまり、相対関係を維持する）ことで、図１２に示すように、時間領域で設定したシフト量に応じた位置に相関値ピークを発生させることができる。同じ関係を保つ方法としては、ＲＳ送信帯域とＺＣ系列のスペクトラムのスタート番号とを対応付ける、すなわち、各送信帯域の基準点から異なる周波数帯域幅とＺＣ系列のスペクトラムのスタート番号とを系列長に応じた特定の関係を満たすように対応付けることなどが挙げられる。そして、この方法によって、巡回シフト系列の送信帯域と相関を計算する帯域が異なる場合でも、従来では設定したウィンドウと異なるウィンドウ内に現れていた相関値ピークが、設定したウィンドウ内に現れるようになる。よって、シフト量に対応したウィンドウ以外への干渉を軽減することができ、チャネル推定精度を改善することができる。また、系列番号にかかわらず、同一処理で相関値ピークの位置を一定にできる。
【００５２】
ここで、帯域幅２４サブキャリア（３６０ｋＨｚ）で相関を計算する場合において、周波数領域で１２サブキャリア（１８０ｋＨｚ）異なる帯域で送信される巡回シフト系列に対する相関結果を図１３に示す。なお、系列長Ｎ＝２４、系列番号ｒ＝１３であるＺＣ系列を利用し、シフト量Δ＝１２と設定した。また、巡回シフト系列の送信帯域と相関値を計算する帯域が異なる場合を点線、これらが一致している場合を実線で示した。この図より、実線でも点線でもシフト量Δ＝１２の相関値ピークが正確に後半部分に生じることがわかる。
【００５３】
このように実施の形態１によれば、ＲＳ送信帯域とＺＣ系列のスペクトラムのスタート番号とを対応付けることにより、時間領域で設定したシフト量に応じた位置に相関値ピークを発生させることができ、シフト量に対応したウィンドウ以外への干渉を軽減することができ、チャネル推定精度を改善することができる。
【００５４】
なお、本実施の形態では、図１１に示すＲＳテーブルを例に説明したが、本発明はこれに限らず、特定の関係を満たし、送受信側双方で共有しているＲＳテーブルであればよい。また、上記のＲＳテーブルを必ずしも備える必要はなく、これと等価な処理が行えればＲＳテーブルを備えていなくてもよい。
【００５５】
また、本実施の形態では、移動局１００におけるＲＳ生成部１０８を図９に示すものとして説明したが、図１４Ａ及び図１４Ｂに示すような構成でもよい。図１４Ａは周波数軸領域でＺＣ系列を生成する場合の構成であり、図１４Ｂは時間軸領域でＺＣ系列を生成する場合の構成である。なお、図１４Ａに示す構成では、位相回転部において時間領域の巡回シフトに対応するように、周波数領域の各サブキャリアに対して位相回転が加えられる。
【００５６】
なお、本実施の形態では、１ＲＢを１２サブキャリア（１８０ｋＨｚ）として説明したが、ＲＢあたりのサブキャリア数、サブキャリア間隔、帯域幅はこれに限定しない。
【００５７】
また、本実施の形態では、参照信号としてＤＭ−ＲＳを例に説明したが、これに限定されるものではなく、ＣＡＺＡＣ系列を用いるその他の参照信号でもよい。
【００５８】
なお、配列生成部１０９で算出する送信帯域に応じたＺＣ系列のスタート番号は、基地局側で算出し、スタート番号を通知する構成であってもよい。
【００５９】
（実施の形態２）
実施の形態１では、ＺＣ系列長が１ＲＢのサブキャリア数の倍数である場合について説明したが、本発明の実施の形態２では、ＺＣ系列長が素数である場合について説明する。
【００６０】
ただし、実施の形態２に係る移動局及び基地局の構成は、実施の形態１の図９及び図１０に示した構成と同様であるので、図９及び図１０を援用する。
【００６１】
一般に、系列長が素数であるＺＣ系列をＲＳ送信帯域のサブキャリア数に合わせるため、巡回拡張（Cyclic extension）によるＲＳ生成及びトランケーション（Truncation）によるＲＳ生成が検討されている。以下、それぞれのＲＳについて説明する。
【００６２】
ＺＣ系列の巡回拡張によるＲＳは、一般に、ＲＳ送信帯域におけるサブキャリア数よりも小さく、かつ、最も近い素数を系列長とするＺＣ系列を利用し、このＺＣ系列の一部をサブキャリア数に合わせて繰り返す。例えば、ＲＳ送信帯域が２４サブキャリアである場合、２３系列長のＺＣ系列が選択される。そして、このＺＣ系列をサブキャリア数に合わせるために、選択されたＺＣ系列の最初の１シンボルが末尾に付加される。
【００６３】
次に、巡回拡張によるＲＳ構成を用いるときの配列生成部１０９の動作について図１５を用いて説明する。ここでは、セル＃２において、系列長Ｎ＝２３、系列番号ｒ＝１の巡回シフト系列ｍ＝２であるＺＣ系列を利用し、シフト量Δ＝１２とする。また、配列生成部１０９が備えるＲＳテーブルは、図１５に示すように、基準点からＦ（１）〜Ｆ（２３）のスペクトラム番号を割り振り、繰り返し配列したものとなっている。
【００６４】
配列生成部１０９は、例えば、図１５に示すように、ＲＢ割当情報として基準点から１２サブキャリア（１８０ｋＨｚ）離れた帯域から送信帯域幅分（例えば、ＲＢ２及びＲＢ３）が指示された場合、このＲＢ割当情報に対応するＺＣ系列をＲＳテーブルから抽出すると、Ｆ（１３）〜Ｆ（２３），Ｆ（１）〜Ｆ（１３）の配列を抽出する。また、基準点から２４サブキャリア（３６０ｋＨｚ）離れた帯域から送信帯域幅分（例えば、ＲＢ３及びＲＢ４）が指示された場合、このＲＢ割当情報に対応するＺＣ系列をＲＳテーブルから抽出すると、Ｆ（２）〜Ｆ（２３），Ｆ（１）及びＦ（２）の配列を抽出する。
【００６５】
次に、ＺＣ系列のトランケーションによるＲＳ生成は、一般にＲＳ送信帯域におけるサブキャリア数よりも大きく、かつ、最も近い素数を系列長とするＺＣ系列を利用し、このＺＣ系列の一部をサブキャリア数に合わせてトランケートする（切り詰める）。例えば、ＲＳ送信帯域が２４サブキャリアである場合、２９系列長のＺＣ系列が選択される。そして、このＺＣ系列がサブキャリア数に合わせて５シンボルだけ切り詰められる。
【００６６】
次に、トランケーションにより生成されるＲＳを用いるときの配列生成部１０９の動作について図１６を用いて説明する。ここでは、セル＃２において、系列長Ｎ＝２９、系列番号ｒ＝１の巡回シフト系列ｍ＝２であるＺＣ系列を利用し、シフト量Δ＝１２とする。また、配列生成部１０９が備えるＲＳテーブルは、図１６に示すように、基準点からＦ（１）〜Ｆ（２９）のスペクトラム番号を割り振り、繰り返し配列したものとなっている。
【００６７】
配列生成部１０９は、例えば、図１６に示すように、ＲＢ割当情報として基準点から１２サブキャリア（１８０ｋＨｚ）離れた帯域から送信帯域幅分（例えば、ＲＢ２及びＲＢ３）が指示された場合、このＲＢ割当情報に対応するＺＣ系列をＲＳテーブルから抽出すると、Ｆ（１３）〜Ｆ（２９），Ｆ（１）〜Ｆ（７）の配列を抽出することになる。また、基準点から２４サブキャリア（３６０ｋＨｚ）離れた帯域から送信帯域幅分（例えば、ＲＢ３及びＲＢ４）が指示された場合、このＲＢ割当情報に対応するＺＣ系列をＲＳテー
ブルから抽出すると、Ｆ（２５）〜Ｆ（２９），Ｆ（１）〜Ｆ（１９）の配列を抽出することになる。
【００６８】
なお、ＺＣ系列の巡回拡張及びトランケーションは、周波数領域ではなく、時間領域で行ってもよい。この場合、生成されるＺＣ系列のスペクトラム数はサブキャリア数と同じであるため、実施の形態１と同じ方法で、サブキャリアに対して、スペクトラム成分を一意に割り当てる。
【００６９】
このように実施の形態２によれば、ＺＣ系列長が素数であり、ＺＣ系列長とサブキャリア数が異なる場合でも、実施の形態１と同様、時間領域で設定したシフト量に応じた位置に相関値ピークを発生させることができ、シフト量に対応したウィンドウ以外への干渉を軽減することができ、チャネル推定精度を改善することができる。
【００７０】
なお、巡回拡張、トランケーションを用いずに、素数のままＲＳを構成する場合は、配列生成部１０９は巡回拡張を行う場合と同一の構成をとる。ＲＳのサブキャリア数が２４の場合、系列長Ｎ＝２３のＺＣ系列の巡回拡張と同様にＲＳの配列生成を行い、そのうち１シンボルをＮｕｌｌ（信号なし、あるいはゼロ）に置き換え、マッピング部１１０に出力する。ここで、Ｎｕｌｌにするシンボルは、送信ＲＢに該当するサブキャリアのうちいずれのサブキャリアでもよいが、周波数の最も低いあるいは最も高いサブキャリアにすることがＺＣ系列の直交性を維持できるため好ましい。
【００７１】
（実施の形態３）
本発明の実施の形態３に係る移動局２００の構成について、図１７を用いて説明する。図１７が図９と異なる点は、ＲＳ生成部１０８をＲＳ生成部２０１に変更した点である。
【００７２】
ＲＳ生成部２０１は、第１巡回シフト部２０２、第２巡回シフト部２０３、ＤＦＴ部２０４、マッピング部２０５、ＩＦＦＴ部２０６を備えており、ＺＣ系列からＲＳを生成し、生成したＲＳを多重化部１１３に出力する。以下、ＲＳ生成部２０１内の各部の構成について説明する。
【００７３】
第１巡回シフト部２０２は、ＺＣ系列を所定のシフト量（送信帯域にかかわらず、セル毎あるいは移動局毎に割り当てられるシフト量）分巡回シフトし、巡回シフトしたＺＣ系列を第２巡回シフト部２０３に出力する。
【００７４】
第２巡回シフト部２０３は、第１巡回シフト部２０２から出力されたＺＣ系列を送信帯域に応じたシフト量でさらに巡回シフトし、巡回シフトされたＺＣ系列をＤＦＴ部２０４に出力する。このとき、送信帯域に応じたシフト量とは、系列長、系列番号、サブキャリア間隔及び、基準点（基準サブキャリア）と送信を行う周波数帯域との相対値に対応し、これらと特定の関係を満たすように対応付けられる。
【００７５】
なお、この送信帯域に応じたシフト量は、基地局より通知あるいは予め定められることで送受信側双方が共有しているものとする。
【００７６】
ＤＦＴ部２０４は、第２巡回シフト部２０３から出力されたＺＣ系列にＤＦＴ処理を施し、ＤＦＴ処理を施したＺＣ系列をマッピング部２０５に出力する。マッピング部２０５は、ＤＦＴ部２０４から出力されたＺＣ系列を移動局の送信帯域に対応した帯域にマッピングし、マッピングしたＺＣ系列をＩＦＦＴ部２０６に出力する。ＩＦＦＴ部２０６は、マッピング部２０５から出力されたＺＣ系列にＩＦＦＴ処理を施し、ＩＦＦＴ処理を施したＺＣ系列をＲＳとして多重化部１１３に出力する。
【００７７】
本発明の実施の形態３に係る基地局の構成は、実施の形態１の図１０に示した構成と同様であり、除算部１６０の機能が異なるのみなので、除算部１６０について図１０を援用して説明する。
【００７８】
除算部１６０は、デマッピング部１５９から出力された信号をＤＦＴ処理されたＺＣ系列で除算し、除算結果をＩＦＦＴ部に出力する。なお、ＤＦＴ処理されたＺＣ系列は、時間領域でＺＣ系列（ｍ＝０）に第２巡回シフト部２０３で送信帯域に応じて加えたシフト量を加え、ＤＦＴ処理を行ったものである。また、ＺＣ系列は基準点から０ｋＨＺ離れた帯域（例えば、ＲＢ１とＲＢ２）でも、基準点から１２サブキャリア（１８０ｋＨｚ）離れた帯域（例えば、ＲＢ２とＲＢ３）でもＺＣ系列のスペクトラムのスタート番号を１とする。
【００７９】
なお、除算部１６０では、ＺＣ系列（ｍ＝０）に時間領域で送信帯域に応じたシフト量を加えたＺＣ系列（ｍ＝０）で除算処理するとしたが、これに等価な方法であれば別の方法でもよい。例えば、ＺＣ系列（ｍ＝０）に時間領域でＺＣ系列（ｍ＝０）に所定のシフト量（送信帯域にかかわらず、セル毎あるいは移動局毎に割り当てられるシフト量）および送信帯域に応じたシフト量を加えたＺＣ系列（ｍ＝０）で除算処理し、マスク処理部１６２で所望のウィンドウにマスク処理を施すことにより、所望の巡回シフト系列の相関値が存在する区間（ウィンドウ部分）の相関値を抽出してもよい。
【００８０】
次に、上述した第２巡回シフト部２０３の動作について図１８を用いて説明する。ここでは、セル＃２において、系列長Ｎ＝２４、系列番号ｒ＝２の巡回シフト系列ｍ＝２であるＺＣ系列を利用する。
【００８１】
第２巡回シフト部２０３は、時間領域で設定した第１巡回シフト部２０２のシフト量に加えて、図１８に示すように、巡回シフト系列の送信帯域に応じて時間領域でシフト量を変更する。なお、このシフト量は任意の帯域で相関値を計算しても第１巡回シフト部２０２で設定した巡回シフト量として検出されるように送信ＲＳ信号に追加的にシフト量を与えるものであり、このシフト量は系列長、系列番号、サブキャリア間隔及び、基準点（基準サブキャリア）と送信を行う周波数帯域との相対値によっても異なる。例えば、サブキャリア間隔が１５ｋＨｚにおける特定の関係を満たすシフト量（補正シフト量）の一例を表に示す。ここでは、系列長２３のＺＣ系列が基準点から１２サブキャリア（１ＲＢ）異なる帯域に割当てられた場合の巡回シフト量のずれ、および巡回シフト量から求めた補正シフト量を示す。
【表１】
2008093716.tif 000031
【００８２】
この巡回シフト量を式で表すと以下になる。１サブキャリア間隔（１５ｋＨｚ）の周波数オフセットを加えると、式（２）のｃshiftで示すシンボル数分、ＺＣ系列を巡回シフトさせることに相当する。
cShift = (N*s-1)/r・・・（２）
【００８３】
ここで、Ｎ:系列長、ｒ:系列番号（ｒはＮと互いに素）、ｓはcShiftが整数となるため
の最小の自然数である。よって、Ｘサブキャリア分の異なる周波数帯域に割り当てられると、ＺＣ系列ａｒ（ｋ）を式（３）のように巡回シフトさせた系列になる。
ａｒ（ｋ＋Ｘ・cShift mod Ｎ）・・・（３）
【００８４】
よって、Ｘサブキャリア分の異なる周波数帯域に割り当てる場合、ＺＣ系列に式（４）の巡回シフトを加えることで式（３）の巡回シフト量を打ち消せるため、所望のタイミングに相関値ピーク位置を現すことができる。
−Ｘ・cShiftmod Ｎ・・・（４）
【００８５】
例えば、系列番号ｒ＝１、第１巡回シフト量Δ＝１２（スタート番号が１３となる）の系列が入力されたと想定する。このとき、上記式に従って第２巡回シフト部２０３のシフト量を計算すると、基準点から０サブキャリア（０ｋＨｚ）離れた帯域（例えば、ＲＢ１とＲＢ２）では巡回シフト量０、基準点から１２サブキャリア（１８０ｋＨｚ）離れた帯域（例えば、ＲＢ２とＲＢ３）ではシフト量１１となる。つまり、基準点から０ｋＨｚ離れた帯域の送信では巡回シフトを行わず（シフト量０）、スタート番号が１３（Ｔ（１３）と表示）の巡回シフト系列を出力する。一方、基準点から１２サブキャリア（１８０ｋＨｚ）離れた帯域での送信では、巡回シフト量１２を施して巡回シフト系列のスタート番号を３（Ｔ（３））とする。
【００８６】
このとき、送信帯域に応じた上記テーブルを双方が記憶していてもよい。また、ＲＢ割当情報を上記式（２）〜（４）に当てはめて移動局、基地局がそれぞれ計算して求めてもよい。
【００８７】
なお、従来の方法では、送信する帯域、例えば、基準点から０サブキャリア（０ｋＨｚ）及び１２サブキャリア（１８０ｋＨｚ）離れた帯域のいずれにもかかわらず、第１巡回シフト部２０２での巡回シフト系列番号に応じたスタート番号１３で送信する。
【００８８】
ここでは、セル＃２について説明したが、他セル（例えばセル＃１）でも同様に第１巡回シフト部２０２での巡回シフト系列番号に、第２巡回シフト部２０３での送信帯域に応じたシフト量を加えたスタート番号で送信する。
【００８９】
具体的には、図１９に示すように、基準点から０ｋＨｚ離れた帯域でＲＳを送信する場合、従来方法と本実施の形態のスタート番号は同一であり、第１巡回シフト部２０２で設定されたシフト量であるＴ（１３）となる。
【００９０】
また、基準点から１２サブキャリア（１８０ｋＨｚ）離れた帯域でＲＳを送信する場合、従来方法のスタート番号は、基準点から０ｋＨｚ離れた帯域での送信と同様に、セル＃２はＴ（１３）となる。一方、本実施の形態でのスタート番号は、送信帯域の基準点からの相対位置に応じてシフト量を変更してＴ（３）となる。
【００９１】
このように、従来方法のスタート番号であるＴ（１３）に加えて、送信帯域の基準点からの相対位置に応じたシフト量が加えられる。なお、ここでは第２巡回シフト部２０３でのシフト量として１２を加えたが、これは系列長、系列番号、サブキャリア間隔、及び、基準点（基準サブキャリア）と送信を行う周波数帯域との相対値によって異なるものである。
【００９２】
なお、上記は巡回シフト系列間の相対関係を保つ方法の一例であり、この方法または上記の表１に限定せず、基準点と送信帯域の位置関係に応じて、第２の巡回シフトを変更することで巡回シフト間の相対関係を維持できる方法であれば別の方法でもよい。
【００９３】
このように実施の形態３によれば、第１巡回シフト部の時間領域で設定したシフト量に加えて、第２巡回シフト部の巡回シフト系列の送信帯域に応じてシフト量を変更することにより、第１巡回シフト部で設定したシフト量に対応した位置に相関値を発生させることができる。したがって、第１巡回シフト部で設定したシフト量に対応したウィンドウ以外への干渉を軽減することができ、チャネル推定精度を改善することができる。
【００９４】
なお、本実施の形態では、時間領域で設定したシフト量に加えて、巡回シフト系列の系列長、系列番号、サブキャリア間隔、及び、基準点（基準サブキャリア）と送信を行う周波数帯域との相対値に応じて、時間領域でシフト量を変更する場合について説明したが、本発明はこれに限らず、巡回シフト系列の系列長、系列番号、サブキャリア間隔、及び、基準点（基準サブキャリア）と送信を行う周波数帯域との相対値に基づいて、同一基地局に属する各セルに割り当てる巡回シフト系列番号を決定するようにしてもよい。以下、具体的に説明する。
【００９５】
従来方法では、ＲＳの系列長、系列番号、サブキャリア間隔、及び、送信帯域（ＲＢ位置）にかかわらず、各セルに割り当てる巡回シフト系列番号（つまり巡回シフト量）を同じにする。例えば、セル＃１では巡回シフト系列番号＃１、セル＃２では巡回シフト系列番号＃２とする（図２０Ａ参照）。
【００９６】
一方、本実施の形態では、ＲＳの系列長、系列番号、サブキャリア間隔、及び、送信帯域（ＲＢ位置）によって、各セルに割り当てる巡回シフト系列番号を異ならせる。例えば、セル＃１において、ＲＢ１とＲＢ２で送信する場合は巡回シフト系列番号＃１、ＲＢ２とＲＢ３で送信する場合は巡回シフト系列番号＃２とする。また、セル＃２において、ＲＢ１とＲＢ２で送信する場合は巡回シフト系列番号＃２、ＲＢ２とＲＢ３で送信する場合は巡回シフト系列番号＃１とする（図２０Ｂ参照）。
【００９７】
なお、このとき、ＲＳ生成部２０１の構成は、図１７に示した第１巡回シフト部２０２及び第２巡回シフト部２０３を図２１に示すように、巡回シフト部としてまとめて、シフト量の割当テーブルに対応してシフト量を割り当ててもよい。
【００９８】
また、本実施の形態では、第２巡回シフト部２０３を第１巡回シフト部２０２とＤＦＴ部２０４の間に設ける構成を例に説明したが、第１巡回シフト部２０２の前段、あるいは、ＩＦＦＴ部２０６の後段に設ける構成であってもよい。
【００９９】
また、上記実施の形態では、自セルと隣接セルとにおけるＲＳ送信帯域が異なる場合のうち、送信帯域幅は同一の場合を中心に説明したが、自セルと隣接セルでそれぞれ送信されるＲＳの送信帯域幅が異なることによってＲＳ送信帯域が異なる場合も考えられる。例えば、自セルではＲＢ１とＲＢ２の２ＲＢ分を自セル内のある移動局に割り当てるのに対し、隣接セルではＲＢ１とＲＢ２をそれぞれ隣接セル内の異なる２移動局に割り当てる場合などが考えられる。このような場合にも、隣接セルの移動局から到来したＲＳに対する自セルでの除算処理では異なる系列長のＺＣ系列を除算することになるため、隣接セルの移動局から到来したＲＳの相関値ピークがウィンドウ内に生じることがあり、自セルと隣接セルの遅延プロファイルを分離することができず、結果として干渉となる問題が発生する。
【０１００】
このような場合に対しても、ＲＳ送信帯域とＺＣ系列のスペクトラムのスタート番号とを対応付ける。すなわち、各送信帯域の基準点から異なる周波数帯域幅とＺＣ系列のスペクトラムのスタート番号とを系列長に応じた特定の関係を満たすように対応付けることにより干渉を軽減することができる。換言すれば、ＲＳを送信する際に、ＲＳの送信帯域に応じて、送信帯域及び送信帯域幅によって定まる所定のシフト量分を周波数領域において
位相シフトを施す、もしくは時間領域で巡回シフトを施すことにより、干渉を軽減することができる。
【０１０１】
また、上記各実施の形態では、巡回シフト系列に限定するものではなく、全ての系列に適用してもよい。例えば、同一基地局に属する複数のセルに異なるＺＣ系列が割り当てられる場合でも、移動局、基地局は、送信帯域に応じて時間領域若しくは周波数領域で巡回シフトを行なった系列を用いて、それぞれ送信及び除算してもよい。このように送受信処理を統一することで、システム全体として同じ規則に従うことになるため、送受信処理が容易になる。
【０１０２】
また、上記各実施の形態では、巡回シフト系列番号＃１、＃２のみを利用したが、本発明はこれに限定するものではなく、巡回シフト系列が＃１〜＃６など多数の場合であってもよい。
【０１０３】
また、上記各実施の形態では、ＲＳ送信帯域幅が２ＲＢである場合について説明したが、本発明はこれに限るものではなく、２以上のＲＢを使用してもよい。この場合、図２２に示すように、各送信帯域で使用される巡回シフト系列のスタート番号はそれぞれ１，１３，２５，１，１３，…となる。ここでは系列長Ｎ＝３６とした。
【０１０４】
また、上記実施の形態１及び２では、図２３Ａに示すように、基準点をシステム送信帯域の一番端のサブキャリアとしてもよいし、図２３Ｂに示すように、システム送信帯域の中心のサブキャリアとしてもよい。ここで、図２３Ａにおいて、送信ＺＣ系列の係数とサブキャリアの関係は図２４に示すようになる。つまり、ｆ０を基準点とし、ｆａをサブキャリア番号とすると、そのサブキャリアｆａのＺＣ系列係数ＣａはＣａ＝Ｃａｍｏｄ（２３）の関係となる（ただし、系列長ｒ＝２３の場合）。なお、Ｃａ＝Ｃａ ｍｏｄ（Ｘ）はＣａをＸで除算した余りである。配列生成部１０９では、この関係を用いて割り当てられた送信ＲＢのサブキャリア毎のＺＣ系列係数を得ることができる。なお、基準点は巡回シフト系列間の相対関係を保つ必要があるセル間で共通とする。
【０１０５】
なお、上記の実施の形態は、巡回シフトの相対関係を維持する方法の一例であり、巡回シフトの相対関係を維持する方法であればこれらに限定するものではない。すなわち、複数のセル間で共通の基準点（周波数、サブキャリア）を用いて、干渉波成分の相関結果が予め設定した巡回シフトの相関値が存在する区間（ウィンドウ部分）に含むことができる方法なら何でもよい。
【０１０６】
また、上記各実施の形態では、移動局から基地局に対してデータおよび参照信号を送信する例を挙げたが、基地局から移動局への送信の場合でも同様に適用できる。
【０１０７】
また、上記各実施の形態では、ＣＡＺＡＣ系列及びその巡回シフト系列を参照信号として利用する場合について説明したが、これに限定されるものではない。例えば、上り回線のチャネル品質推定用参照信号、ランダムアクセス用プリアンブル系列、下り回線の同期チャネル用参照信号など、巡回シフトを用い、セル間で異なる送信帯域で送信される場合に対しても同様に適用可能である。また、ＧＣＬ（Generalized Chirp Like）系列、Frank系列、Ｍ系列及びゴールド系列などのＰＮ系列、CAZAC-basedの系列をCyclic Extension/Truncationした系列、ＺＣ系列をパンクチャリングした系列、Random CAZAC, OLZC, RAZACなどの各種系列、その他のＣＡＺＡＣ系列（計算機により生成した系列を含む）にも適用が可能である。また、参照信号はパイロット信号、リファレンス信号、基準信号などと呼ばれることがある。
【０１０８】
さらに、ＣＡＺＡＣ系列を符号分割多重（CDM）あるいは符号分割多元接続（CDMA）の
拡散符号として用いる場合にも同様に適用可能であり、ＲＢ送信帯域が異なる場合の相関演算時に系列間の相対的な関係が崩れ、干渉波の相関値ピークが希望波の相関値ピークの検出窓で検出されるこことを回避することができる。
【０１０９】
また、上記各実施の形態では、上りリンクを例に説明したが、下りリンクに適用してもよい。また、本実施の形態は3GPP LTEのシステムに限定するものでもない。
【０１１０】
また、説明で利用したＲＢあたりのサブキャリア数や帯域幅はあくまでも一例であり、これらの値に限定されない。
【０１１１】
また、上記各実施の形態では、本発明をハードウェアで構成する場合を例にとって説明したが、本発明はソフトウェアで実現することも可能である。
【０１１２】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１１３】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１１４】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【０１１５】
２００７年１月３１日出願の特願２００７−０２２０７２の日本出願に含まれる明細書、図面及び要約書の開示内容は、すべて本願に援用される。
【産業上の利用可能性】
【０１１６】
本発明にかかる無線送信装置及び無線送信方法は、例えば、移動通信システムの移動局等に適用できる。
【図面の簡単な説明】
【０１１７】
【図１】ＺＣ系列を巡回シフトする様子を示す図
【図２】受信ＺＣ系列の相関結果を示す図
【図３】巡回シフト系列を検出及び分離する様子を示す図
【図４】一般的な受信機の構成を示すブロック図
【図５】ＺＣ系列をセルに割り当てた様子を示す図
【図６】隣接セルにおいて異なるＲＳ送信帯域が用いられる様子を示す図
【図７】隣接セルにおいて異なるＲＳ送信帯域が用いられた場合の相関値ピーク位置を示す図
【図８】送信帯域と相関値を計算する帯域とが一致及び不一致となる場合の相関結果を示す図
【図９】本発明の実施の形態１に係る移動局の構成を示すブロック図
【図１０】本発明の実施の形態１に係る基地局の構成を示すブロック図
【図１１】図９に示した配列生成部の動作説明に供する図
【図１２】相関値ピーク位置を示す図
【図１３】送信帯域と相関値を計算する帯域とが一致及び不一致となる場合の相関結果を示す図
【図１４】本発明の実施の形態１に係るＲＳ生成部のその他の内部構成を示すブロック図
【図１５】巡回拡張によるＺＣ系列を用いるときの配列生成部の動作説明に供する図
【図１６】トランケートによるＺＣ系列を用いるときの配列生成部の動作説明に供する図
【図１７】本発明の実施の形態３に係る移動局の構成を示すブロック図
【図１８】図１７に示した第２巡回シフト部の動作説明に供する図
【図１９】図１７に示した第２巡回シフト部の具体的な動作説明に供する図
【図２０】巡回シフト系列番号の割当テーブルを示す図
【図２１】図２０に示した割当テーブルを用いる場合のＲＳ生成部の内部構成を示すブロック図
【図２２】ＲＳ送信帯域幅が３ＲＢの場合の巡回シフト系列生成の様子を示す図
【図２３Ａ】基準点を定義する様子を示す図
【図２３Ｂ】基準点を定義する様子を示す図
【図２４】送信するＺＣ系列の係数とサブキャリアとの関係を示す図
【手続補正３】
【補正対象書類名】図面
【補正対象項目名】全図
【補正方法】変更
【補正の内容】
【図１】
2008093716.tif 000032
【図２】
2008093716.tif 000033
【図３】
2008093716.tif 000034
【図４】
2008093716.tif 000035
【図５】
2008093716.tif 000036
【図６】
2008093716.tif 000037
【図７】
2008093716.tif 000038
【図８】
2008093716.tif 000039
【図９】
2008093716.tif 000040
【図１０】
2008093716.tif 000041
【図１１】
2008093716.tif 000042
【図１２】
2008093716.tif 000043
【図１３】
2008093716.tif 000044
【図１４】
2008093716.tif 000045
【図１５】
2008093716.tif 000046
【図１６】
2008093716.tif 000047
【図１７】
2008093716.tif 000048
【図１８】
2008093716.tif 000049
【図１９】
2008093716.tif 000050
【図２０】
2008093716.tif 000051
【図２１】
2008093716.tif 000052
【図２２】
2008093716.tif 000053
【図２３Ａ】
2008093716.tif 000054
【図２３Ｂ】
2008093716.tif 000055
【図２４】
2008093716.tif 000056
【国際調査報告】
2008093716.tif 000057
2008093716.tif 000058
2008093716.tif 000059
2008093716.tif 000060